(57)【特許請求の範囲】
【請求項１】
アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を縦軸方向になるように前記画面に表示させ、
前記デジタル信号のデバイスを接続する入出力端子に接続してあり且つその接続状態を論理的に識別することができるデバイスを横軸方向になるように前記画面に表示させ、
前記縦軸方向に表示されている入出力端子を選択することにより接続されているデバイスを選択すること、
又は、前記横軸方向に表示されているデバイスを選択すること、
又は、前記縦軸方向に表示されている入出力端子を選択してから、その選択された縦軸方向の入出力端子に接続されているデバイスのうち横軸方向に表示されているデバイスを選択すること
を特徴とする電子機器に接続されているデバイスの選択方法。
【請求項２】
上記請求項１において、上記入出力端子を備えた電子機器はテレビジョン受像機であること
を特徴とする電子機器に接続されているデバイスの選択方法。
【請求項３】
上記請求項１において、論理的に識別することができるデバイスはデジタルバスに接続されているデバイスであること
を特徴とする電子機器に接続されているデバイスの選択方法。
【請求項４】
上記請求項３において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器に接続されているデバイスの選択方法。
【請求項５】
アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を横軸方向になるように前記画面に表示させ、
前記デジタル信号のデバイスを接続する入出力端子に接続してあり且つその接続状態を論理的に識別することができるデバイスを縦軸方向になるように前記画面に表示させ、
前記横軸方向に表示されている入出力端子を選択することにより接続されているデバイスを選択すること、
又は、前記縦軸方向に表示されているデバイスを選択すること、
又は、前記横軸方向に表示されている入出力端子を選択してから、その選択された横軸方向の入出力端子に接続されているデバイスのうち縦軸方向に表示されているデバイスを選択すること
を特徴とする電子機器に接続されているデバイスの選択方法。
【請求項６】
上記請求項５において、上記入出力端子を備えた電子機器はテレビジョン受像機であること
を特徴とする電子機器に接続されているデバイスの選択方法。
【請求項７】
上記請求項５において、論理的に識別することができるデバイスはデジタルバスに接続されているデバイスであること
を特徴とする電子機器に接続されているデバイスの選択方法。
【請求項８】
上記請求項７において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器に接続されているデバイスの選択方法。
【請求項９】
アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を縦軸方向になるように前記画面上に表示させる縦軸方向表示手段と、
前記デジタル信号のデバイスを接続する入出力端子に接続してあり且つその接続状態を論理的に識別することができるデバイスを横軸方向になるように前記画面上に表示させる横軸方向表示手段と、
前記縦軸方向表示手段により縦軸方向に表示されている入出力端子を選択してデバイスを選択する縦軸方向選択手段と、
前記横軸方向表示手段により横軸方向に表示されているデバイスを選択する横軸方向選択手段と、
を備えたことを特徴とする電子機器。
【請求項１０】
上記請求項９において、上記入出力端子を備えた電子機器はテレビジョン受像機であること
を特徴とする電子機器。
【請求項１１】
上記請求項９において、論理的に識別することができるデバイスはデジタルバスに接続されているデバイスであること
を特徴とする電子機器。
【請求項１２】
上記請求項１１において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【請求項１３】
アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を横軸方向になるように前記画面上に表示させる横軸方向表示手段と、
前記デジタル信号のデバイスを接続する入出力端子に接続してあり且つその接続状態を論理的に識別することができるデバイスを縦軸方向になるように前記画面上に表示させる縦軸方向表示手段と、
前記横軸方向表示手段により横軸方向に表示されている入出力端子を選択してデバイスを選択する横軸方向選択手段と、
前記縦軸方向表示手段により縦軸方向に表示されているデバイスを選択する縦軸方向選択手段と、
を備えたことを特徴とする電子機器。
【請求項１４】
上記請求項１３において、上記入出力端子を備えた電子機器はテレビジョン受像機であること
を特徴とする電子機器。
【請求項１５】
上記請求項１３において、論理的に識別することができるデバイスはデジタルバスに接続されているデバイスであること
を特徴とする電子機器。
【請求項１６】
上記請求項１５において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【請求項１７】
アナログ信号のデバイスを接続する入出力端子と、
デジタル信号のデバイスを接続する入出力端子と、
入出力端子とデバイスとの接続状態を表示できる画面と、を備えた電子機器であって、
前記アナログ信号のデバイスが接続されている入出力端子及び前記デジタル信号のデバイスが接続されている入出力端子を縦軸方向になるように前記画面上に表示させる縦軸方向表示手段と、
前記デジタル信号のデバイスを接続する入出力端子に接続してあり且つその接続状態を論理的に識別することができるデバイスを横軸方向になるように前記画面上に表示させる横軸方向表示手段と、
前記縦軸方向表示手段により縦軸方向に表示されている入出力端子を選択してデバイスを選択する縦軸方向選択手段と、
前記横軸方向表示手段により横軸方向に表示されているデバイスを選択する横軸方向選択手段と、を備え
前記縦軸方向選択手段或いは前記横軸方向選択手段により選択されたデバイスが出力先のデバイスであると特定すること及び／又は選択されたデバイス間の接続を行うこと
を特徴とする電子機器。
【請求項１８】
上記請求項１７において、上記入出力端子を備えた電子機器はテレビジョン受像機であること
を特徴とする電子機器。
【請求項１９】
上記請求項１７において、論理的に識別することができるデバイスはデジタルバスに接続されているデバイスであること
を特徴とする電子機器。
【請求項２０】
上記請求項１９において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【請求項２１】
アナログ信号のデバイスを接続する入出力端子と、
デジタル信号のデバイスを接続する入出力端子と、
入出力端子とデバイスとの接続状態を表示できる画面と、を備えた電子機器であって、
前記アナログ信号のデバイスが接続されている入出力端子及び前記デジタル信号のデバイスが接続されている入出力端子を横軸方向になるように前記画面上に表示させる横軸方向表示手段と、
前記デジタル信号のデバイスを接続する入出力端子に接続してあり且つその接続状態を論理的に識別することができるデバイスを縦軸方向になるように前記画面上に表示させる縦軸方向表示手段と、
前記横軸方向表示手段により横軸方向に表示されている入出力端子を選択してデバイスを選択する横軸方向選択手段と、
前記縦軸方向表示手段により縦軸方向に表示されているデバイスを選択する縦軸方向選択手段と、を備え、
前記横軸方向選択手段或いは前記縦軸方向選択手段により選択されたデバイスが出力先のデバイスであると特定すること及び／又は選択されたデバイス間の接続を行うこと
を特徴とする電子機器。
【請求項２２】
上記請求項２１において、上記入出力端子を備えた電子機器はテレビジョン受像機であること
を特徴とする電子機器。
【請求項２３】
上記請求項２１において、論理的に識別することができるデバイスはデジタルバスに接続されているデバイスであること
を特徴とする電子機器。
【請求項２４】
上記請求項２３において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【発明の詳細な説明】
【０００１】
【発明の属する技術分野】
本発明は電子機器に接続されているデバイスの選択方法及びこの選択方法を備えた電子機器に関するものであり、詳しくは複数の入出力端子とこの入出力端子に接続されているデバイスとを縦軸方向と横軸方向に表示して選択し易いように表示すると共に、選択したデバイスを入力先のデバイス、出力先のデバイス或いはデバイス間の接続をするようにした電子機器に接続されているデバイスの選択方法及びこの選択方法を備えた電子機器に関する。
【０００２】
【従来の技術】
従来技術におけるデバイスと接続するための複数個の入出力端子を有する電子機器、例えば、テレビジョン受像機１０は、図２５に示すように、アナログ信号のデバイスと接続するための入出力端子Ｌｉｎｅー１、Ｌｉｎｅー２と、ＩＥＥＥ１３９４規格に準拠したデジタルバス１３と接続するための入出力端子とから構成され、入出力端子Ｌｉｎｅー１には第１のデバイス１１、Ｌｉｎｅー２には第２のデバイス１２、デジタルバス１３の入出力端子にはデイジーチェーンで接続したＤｅｖｉｃｅー１、Ｄｅｖｉｃｅー２、Ｄｅｖｉｃｅー３とからなる。このＤｅｖｉｃｅー１には第３のデバイス１４を接続し、Ｄｅｖｉｃｅー２には第４のデバイス１５を接続し、Ｄｅｖｉｃｅー３には第５のデバイス１６を接続した構成となっている。このようにして入出力端子を介して接続されている複数のデバイス１１〜１６は、テレビジョン受像機１０に重畳表示（オンスクリーンディスプレイ）されたメニューの中から所望のデバイスを選択することができるようになっている。
【０００３】
具体的な構成を示せば、図２６に示すように、テレビジョン受像機１０の入出力端子Ｌｉｎｅー１には第１のデバイス１１であるＶＴＲ（Ｖｉｄｅｏ  Ｔａｐｅ  Ｒｅｃｏｄｅｒ）、Ｌｉｎｅー２には第２のデバイス１２であるＬＤＰ（Ｌａｓｅｒ  Ｄｉｓｃ  Ｐｌａｙｅｒ）、デジタルバス１３のＤｅｖｉｃｅー１には第３のデバイス１４であるＶＣＲ（Ｖｉｄｅｏ  Ｃａｓｅｔｔｏ  Ｒｅｃｏｄｅｒ）、Ｄｅｖｉｃｅー２には第４のデバイス１５であるＨＤＤ（Ｈａｒｄ  Ｄｉｓｃ  Ｄｅｖｉｃｅ）、Ｄｅｖｉｃｅー３には第５のデバイス１６であるＤＶＤ（Ｄｉｇｉｔａｌ  Ｖｉｄｅｏ  Ｄｉｓｃ又はＤｉｇｉｔａｌ  Ｖｅｒｓａｔｉｌｅ  Ｄｉｓｃ）が接続されている。
【０００４】
このような接続形態を有するテレビジョン受像機１０においては、図２７に示すように、画面１７上にメニュー１８を重畳表示して適宜デバイスの選択をすることができる。このメニュー１８に表示される表示デバイスは、縦軸方向に一列に表示され、例えば、上から表示デバイスＬｉｎｅー１（１９ａ）、Ｌｉｎｅー２（１９ｂ）、ＶＣＲ（１９ｃ）、ＨＤＤ（１９ｄ）、ＤＶＤ（１９ｅ）の如く表示する。このようにして縦軸方向に表示された表示デバイス１９ａ〜１９ｅに対して所望のデバイスにカーソルをあてて選択すれば、その選択されたデバイス１１〜１６のコンテンツがテレビジョン受像機１０と接続して入出力可能になる。
【０００５】
【発明が解決しようとする課題】
しかしながら、上記従来技術における複数の入出力端子を備えたテレビジョン受像機においては、画面上に表示するために、接続されているデバイスを選択する必要があるが、アナログ信号の入力に対しては、従来通りのラインを選択し、デジタル信号の入力の場合にはデイジーチェーンで接続されているために物理的にラインを選ぶことができないのでバス上でのデバイスを選択する必要がある。この場合、従来から使用されているメニューによる選択（図２７参照）も可能であるが、物理的なライン選択と論理的なデバイスの選択とが混合した状態となり、どれがアナログ信号用デバイスで、どれがデジタル信号用デバイスかの判別ができないという問題がある。
【０００６】
例えば、アナログ信号のデバイスと接続する入出力端子については、その入出力端子にデバイスが接続されているいないにかかわらず表示することができるが、デジタル信号のデバイスを備えたデジタルバスと接続する入出力端子については、デイジーチェーンで接続されているデバイスが外されると自動的にその表示が消え、接続されると自動的に表示されるため、現在の接続状態がアナログ信号用のデバイスかデジタル信号用のデバイスかの判別に混乱を及ぼすことになる。
【０００７】
従って、複数の入出力端子を有する電子機器において、入出力端子に接続されているデバイスの接続状態が容易に識別することができる表示手法及び選択手法に解決しなければならない課題を有する。
【０００８】
【課題を解決するための手段】
上記課題を解決するために、本願発明に係る電子機器に接続されているデバイスの選択方法及びこの選択方法を備えた電子機器は次のような構成にすることである。
【０００９】
（１）  アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を縦軸方向になるように前記画面に表示させ、
前記デジタル信号のデバイスを接続する入出力端子に接続してあり且つその接続状態を論理的に識別することができるデバイスを横軸方向になるように前記画面に表示させ、
前記縦軸方向に表示されている入出力端子を選択することにより接続されているデバイスを選択すること、
又は、前記横軸方向に表示されているデバイスを選択すること、
又は、前記縦軸方向に表示されている入出力端子を選択してから、その選択された縦軸方向の入出力端子に接続されているデバイスのうち横軸方向に表示されているデバイスを選択すること
を特徴とする電子機器に接続されているデバイスの選択方法。
（２）  上記（１）において、上記入出力端子を備えた電子機器はテレビジョン受像機であること
を特徴とする電子機器に接続されているデバイスの選択方法。
（３）  上記（１）において、論理的に識別することができるデバイスはデジタルバスに接続されているデバイスであること
を特徴とする電子機器に接続されているデバイスの選択方法。
（４）  上記（３）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器に接続されているデバイスの選択方法。
【００１０】
（５）  アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を横軸方向になるように前記画面に表示させ、
前記デジタル信号のデバイスを接続する入出力端子に接続してあり且つその接続状態を論理的に識別することができるデバイスを縦軸方向になるように前記画面に表示させ、
前記横軸方向に表示されている入出力端子を選択することにより接続されているデバイスを選択すること、
又は、前記縦軸方向に表示されているデバイスを選択すること、
又は、前記横軸方向に表示されている入出力端子を選択してから、その選択された横軸方向の入出力端子に接続されているデバイスのうち縦軸方向に表示されているデバイスを選択すること
を特徴とする電子機器に接続されているデバイスの選択方法。
（６）  上記（５）において、上記入出力端子を備えた電子機器はテレビジョン受像機であること
を特徴とする電子機器に接続されているデバイスの選択方法。
（７）  上記（５）において、論理的に識別することができるデバイスはデジタルバスに接続されているデバイスであること
を特徴とする電子機器に接続されているデバイスの選択方法。
（８）  上記（７）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器に接続されているデバイスの選択方法。
【００１１】
（９）  アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を縦軸方向になるように前記画面上に表示させる縦軸方向表示手段と、
前記デジタル信号のデバイスを接続する入出力端子に接続してあり且つその接続状態を論理的に識別することができるデバイスを横軸方向になるように前記画面上に表示させる横軸方向表示手段と、
前記縦軸方向表示手段により縦軸方向に表示されている入出力端子を選択してデバイスを選択する縦軸方向選択手段と、
前記横軸方向表示手段により横軸方向に表示されているデバイスを選択する横軸方向選択手段と、
を備えたことを特徴とする電子機器。
（１０）  上記（９）において、上記入出力端子を備えた電子機器はテレビジョン受像機であること
を特徴とする電子機器。
（１１）  上記（９）において、論理的に識別することができるデバイスはデジタルバスに接続されているデバイスであること
を特徴とする電子機器。
（１２）  上記（１１）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【００１２】
（１３）  アナログ信号のデバイスを接続する入出力端子と、
デジタル信号のデバイスを接続する入出力端子と、
入出力端子とデバイスとの接続状態を表示できる画面と、を備え、
前記アナログ信号のデバイスが接続されている入出力端子及び前記デジタル信号のデバイスが接続されている入出力端子を横軸方向になるように前記画面上に表示させる横軸方向表示手段と、
前記デジタル信号のデバイスを接続する入出力端子に接続してあり且つその接続状態を論理的に識別することができるデバイスを縦軸方向になるように前記画面上に表示させる縦軸方向表示手段と、
前記横軸方向表示手段により横軸方向に表示されている入出力端子を選択してデバイスを選択する横軸方向選択手段と、
前記縦軸方向表示手段により縦軸方向に表示されているデバイスを選択する縦軸方向選択手段と、
を備えたことを特徴とする電子機器。
（１４）  上記（１３）において、上記入出力端子を備えた電子機器はテレビジョン受像機であること
を特徴とする電子機器。
（１５）  上記（１３）において、論理的に識別することができるデバイスはデジタルバスに接続されているデバイスであること
を特徴とする電子機器。
（１６）  上記（１５）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【００１３】
（１７）  アナログ信号のデバイスを接続する入出力端子と、
デジタル信号のデバイスを接続する入出力端子と、
入出力端子とデバイスとの接続状態を表示できる画面と、を備えた電子機器であって、
前記アナログ信号のデバイスが接続されている入出力端子及び前記デジタル信号のデバイスが接続されている入出力端子を縦軸方向になるように前記画面上に表示させる縦軸方向表示手段と、
前記デジタル信号のデバイスを接続する入出力端子に接続してあり且つその接続状態を論理的に識別することができるデバイスを横軸方向になるように前記画面上に表示させる横軸方向表示手段と、
前記縦軸方向表示手段により縦軸方向に表示されている入出力端子を選択してデバイスを選択する縦軸方向選択手段と、
前記横軸方向表示手段により横軸方向に表示されているデバイスを選択する横軸方向選択手段と、を備え
前記縦軸方向選択手段或いは前記横軸方向選択手段により選択されたデバイスが出力先のデバイスであると特定すること及び／又は選択されたデバイス間の接続を行うこと
を特徴とする電子機器。
（１８）  上記（１７）において、上記入出力端子を備えた電子機器はテレビジョン受像機であること
を特徴とする電子機器。
（１９）  上記（１７）において、論理的に識別することができるデバイスはデジタルバスに接続されているデバイスであること
を特徴とする電子機器。
（２０）  上記（１９）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【００１４】
（２１）  アナログ信号のデバイスを接続する入出力端子と、
デジタル信号のデバイスを接続する入出力端子と、
入出力端子とデバイスとの接続状態を表示できる画面と、を備えた電子機器であって、
前記アナログ信号のデバイスが接続されている入出力端子及び前記デジタル信号のデバイスが接続されている入出力端子を横軸方向になるように前記画面上に表示させる横軸方向表示手段と、
前記デジタル信号のデバイスを接続する入出力端子に接続してあり且つその接続状態を論理的に識別することができるデバイスを縦軸方向になるように前記画面上に表示させる縦軸方向表示手段と、
前記横軸方向表示手段により横軸方向に表示されている入出力端子を選択してデバイスを選択する横軸方向選択手段と、
前記縦軸方向表示手段により縦軸方向に表示されているデバイスを選択する縦軸方向選択手段と、を備え、
前記横軸方向選択手段或いは前記縦軸方向選択手段により選択されたデバイスが出力先のデバイスであると特定すること及び／又は選択されたデバイス間の接続を行うこと
を特徴とする電子機器。
（２２）  上記（２１）において、上記入出力端子を備えた電子機器はテレビジョン受像機であること
を特徴とする電子機器。
（２３）  上記（２１）において、論理的に識別することができるデバイスはデジタルバスに接続されているデバイスであること
を特徴とする電子機器。
（２４）  上記（２３）において、上記デジタルバスはＩＥＥＥ１３９４規格に準拠しているバス、ＵＳＢ仕様のデジタルバス、無線機能を備えたデバイスを接続することができるバス、の全て又は何れかを選択又はその組合わせからなること
を特徴とする電子機器。
【００１５】
このように、電子機器に接続されているデバイスの表示を縦横方向に表示し、しかも表示の仕方を物理的に接続されているものと確認できるデバイスと、論理的に認識できるデバイスとで、表示する方向を変えるようにしたことによって、接続されているデバイスの識別、例えばアナログ信号用デバイスかデジタル信号用デバイスかの識別が容易となり、出力先やデバイス間接続のためのデバイス選択が容易となる。
【００１６】
【発明の実施の形態】
次に、本発明に係る電子機器に接続されているデバイスの選択方法及びその選択方法を備えた電子機器の実施形態について図面を参照して説明する。尚、従来技術で説明したものと同じものには同一符号を付与して説明する。
【００１７】
第１の実施形態の電子機器に接続されているデバイスの選択方法を具現化するための構成は、従来技術で説明した図２５及び図２６に示す構成と同じであり、電子機器であるテレビジョン受像機１０に複数の入出力端子を備えた構成となっている。この複数の入出力端子は、アナログ信号のデバイスと接続する入出力端子Ｌｉｎｅー１には第１のデバイス（ＶＴＲ）１１を接続し、入出力端子Ｌｉｎｅー２には第２のデバイス（ＬＤＰ）１２を接続し、ＩＥＥＥ１３９４規格に準拠したデジタルバス１３を形成するデジタル信号の入出力端子にはデイジーチェーンで接続されたＤｅｖｉｃｅー１に第３のデバイス（ＶＣＲ）１４を接続し、Ｄｅｖｉｃｅー２に第４のデバイス（ＨＤＤ）１５を接続し、Ｄｅｖｉｃｅー３に第５のデバイス（ＤＶＤ）１６を接続した構成となっている。
【００１８】
このような構成からなるテレビジョン受像機１０におけるデバイスの選択は、先ず、図１に示すように、テレビジョン受像機１０の画面１７に重畳表示するメニュー１８を見ながら所望のデバイス１１〜１６（表示デバイス２０ａ〜２０ｃ、２１ａ〜２１ｃ）を選択する。このメニュー１８の画面表示は、複数個の物理的に識別できるデバイス１１〜１３を縦軸方向に表示した表示デバイス２０ａ〜２０ｃと、この入出力端子に接続してあり且つその接続状態を論理的に識別することができるデバイス１４〜１６を横軸方向に表示した表示デバイス２１ａ〜２１ｃとからなる。このような縦横の表示デバイス２０ａ〜２０ｃ、２１ａ〜２１ｃに対して、表示デバイス２０ａ〜２０ｃ、２１ａ〜２１ｃのいずれかを選択してデバイス１１〜１６を選択する。ここで、複数個の物理的に接続することができる入出力端子は、アナログ信号のデバイスと接続する入出力端子Ｌｉｎｅー１、Ｌｉｎｅー２、デジタルバス１３に接続するため入出力端子を混在した構成となっている。接続状態を論理的に識別することができるデバイス１４〜１６はデジタルバス１３にデイジーチェーンで接続されたデバイスのことである。実施例においては、縦軸方向に表示する物理的に接続できるデバイス１１〜１３は入出力端子Ｌｉｎｅー１（２０ａ）、Ｌｉｎｅー２（２０ｂ）、デジタルバス１３を表す”１３９４”（２０ｃ）である。横軸方向に表示する論理的に識別することができるデバイス１４〜１６は、第３のデバイスに相当するＶＣＲ（２１ａ）、第４のデバイスに相当するＨＤＤ（２１ｂ）、第５のデバイスに相当するＤＶＤ（２１ｃ）がそれぞれ表示される。
【００１９】
このように縦横方向にデバイス１１〜１６を表示（２０ａ〜２０ｃ、２１ａ〜２１ｃ）した場合には、先ず縦軸方向に表示されているデバイス１１〜１３（表示デバイス２０ａ〜２０ｃ）を選択する。図１に示す実施例の場合はカーソルが指しているＬｉｎｅー２（表示デバイス２０ｂ）が選択されたことになる。又、図２に示すように、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃ、実施例においてデバイス”ＨＤＤ”（２１ｂ）を指して選択するとデバイスＨＤＤが選択される。この横軸方向に表示されているデバイス１４〜１６の選択は、このように直接選択する手法に加えて、先ず、縦軸方向に表示されているデバイス１１〜１３（表示デバイス２０ａ〜２０ｃ）を選択してから横軸方向に表示されているデバイス１４〜１６（表示デバイス２１ａ〜２１ｃ）を選択するようにしてもよい。図２に示す実施例の場合には、先ず、”１３９４”（２０ｃ）を選択した後に、横軸方向の”ＨＤＤ”（２１ｂ）を選択する。尚、図示していないが、カーソルで所望のデバイスを選択決定した時には、その表示状態が反転表示、ブリンク表示等を行わせるようにしてもよく、又、カーソルで指示したデバイスの表示態様を変化させるようにしてもよいことは勿論のことである。更に、選択して決定されたデバイスはメニュー１８の選択入力（Ｓｅｌｅｃｔ Ｉｎｐｕｔ）をクリックすることにより選択決定できるようになっている。
【００２０】
このようにして、デバイス１１〜１６の接続態様（従来技術の図２５及び図２６参照）に対応させたデバイスの表示デバイス２０ａ〜２０ｃ、２１ａ〜２１ｃを縦横に変化させることにより、デバイス１１〜１６の接続態様の識別が極めて簡単且つ容易に認識することができるのである。
【００２１】
次に、第２の実施形態の電子機器に接続されているデバイスの選択方法について、図面を参照して説明する。
【００２２】
第２の実施形態の電子機器に接続されているデバイスの選択方法を具現化するための構成は、従来技術で説明した図２５及び図２６に示す構成と同じであり、電子機器であるテレビジョン受像機１０に複数の入出力端子を備えた構成となっている。この複数の入出力端子は、アナログ信号を入力する入出力端子Ｌｉｎｅー１には第１のデバイス（ＶＴＲ）１１を接続し、入出力端子Ｌｉｎｅー２には第２のデバイス（ＬＤＰ）１２を接続し、ＩＥＥＥ１３９４規格に準拠したデジタルバス１３を形成するデジタル信号の入出力端子にはデイジーチェーンで接続されたＤｅｖｉｃｅー１に第３のデバイス（ＶＣＲ）１４を接続し、Ｄｅｖｉｃｅー２に第４のデバイス（ＨＤＤ）１５を接続し、Ｄｅｖｉｃｅー３に第５のデバイス（ＤＶＤ）１６を接続した構成となっている。
【００２３】
このような構成からなるテレビジョン受像機１０におけるデバイス１１〜１６の選択は、先ず、図３に示すように、テレビジョン受像機１０の画面１７に重畳表示するメニュー１８を見ながら所望のデバイス１１〜１６（表示デバイス２２ａ〜２２ｃ、２３ａ〜２３ｃ）を選択する。このメニュー１８の表示は、複数個の物理的に認識することができるデバイス１１〜１３を横軸方向に表示デバイス２２ａ〜２２ｃを表示し、この入出力端子に接続してあり且つその接続状態を論理的に識別することができるデバイス１４〜１６を縦軸方向に表示デバイス２３ａ〜２３ｃを表示したものである。
【００２４】
ここで、複数個の物理的に認識することができる入出力端子は、アナログ信号を入力する入出力端子Ｌｉｎｅー１、Ｌｉｎｅー２、デジタルバス１３に接続するためのデジタル信号を入力する入出力端子を混在した構成となっている。又、接続状態を論理的に識別することができるデバイス１３〜１６はデジタルバス１３にデイジーチェーンに接続されたデバイスのことである。実施例においては、横軸方向に表示する物理的に接続できるのは入出力端子Ｌｉｎｅー１（２２ｂ）、Ｌｉｎｅー２（２２ｃ）、デジタルバス１３を表す”１３９４”（２２ａ）である。縦軸方向に表示する論理的に識別することができるデバイス１３〜１６は、第３のデバイス１４に相当するＶＣＲ（２３ｂ）であり、第４のデバイス１５に相当するＨＤＤ（２３ａ）であり、第５のデバイス１６に相当するＤＶＤ（２３ｃ）がそれぞれ表示される。
【００２５】
このようにして縦横方向に表示されたデバイス１１〜１６を選択するためには、図３に示すように、横軸方向に表示されている入出力端子”１３９４”（２２ａ）、Ｌｉｎｅー２（２２ｂ）、Ｌｉｎｅー１（２２ｃ）の何れかにカーソルを指して選択する。実施例の場合は、デジタルバス１３である”１３９４”（２２ａ）を指して選択している。ここで、アナログ信号のデバイスと接続する入出力端子Ｌｉｎｅー１、Ｌｉｎｅー２を選択すると一回の操作で選択することができるが、この実施例のように先ず”１３９４”（２２ａ）を選択すると、次に、”１３９４”（２２ａ）にデイジーチェーンで接続されている縦軸方向のデバイス１３〜１６の表示デバイス２３ａ〜２３ｃを選択する必要がある。この実施例においてはＶＣＲ（２３ｂ）を選択したことになる。ここで、最初からデジタルバス１３に接続されているデバイス１４〜１６を選択すると一回の操作で良い。実施例において、最初にＶＣＲ（２３ｂ）を選択すると、この一回の選択操作によりＶＣＲが選択されることになる。
【００２６】
次に、第３の実施形態の電子機器に接続されているデバイスの選択方法を具現化した電子機器について、図面を参照して説明する。
【００２７】
第３の実施形態の電子機器は、図４に示すように、テレビジョン受像機１０に接続した電子機器２５と、この電子機器２５の入出力端子に接続した複数のデバイス１１〜１６とから構成されている。入出力端子は、アナログ信号のデバイスと接続する入出力端子Ｌｉｎｅー１には第１のデバイス（例えばＶＴＲ）１１を接続し、入出力端子Ｌｉｎｅー２には第２のデバイス（例えばＬＤＰ）１２を接続し、デジタル信号を入力する入出力端子は、ＩＥＥＥ１３９４規格に準拠したデジタルバス１３が接続され、このデジタルバス１３にデイジーチェーンで接続されているＤｅｖｉｃｅー１に第３のデバイス（実施例においてＶＣＲ）１４を接続し、Ｄｅｖｉｃｅー２に第４のデバイス（実施例においてＨＤＤ）１５を接続し、Ｄｅｖｉｃｅー３に第５のデバイス（実施例においてＤＶＤ）１６を接続した構成となっている。尚、電子機器２５はテレビジョン受像機１０と合体したものでもよく、又は別体のレシーバ等のデバイスコントローラであってもよいことは勿論のことである。
【００２８】
このような構成からなる電子機器２５には、テレビジョン受像機１０の画面上にデバイスを選択すためのメニューを重畳表示（ＯＳＤ；Ｏｎ  Ｓｃｒｅｅｎ  Ｄｉｓｐｌａｙ）する機能を備えている。
【００２９】
このメニューを表示及び選択するための構成は、図５に示すように、複数個の物理的に接続することができる入出力端子に接続されているデバイス１１〜１３（表示デバイス２０ａ〜２０ｃ）を縦軸方向に表示する縦軸方向表示手段である縦軸方向表示部２６と、この入出力端子に接続してあり且つその接続状態を論理的に識別することができるデバイス１４〜１６（表示デバイス２１ａ〜２１ｃ）を横軸方向に表示する横軸方向表示手段である横軸方向表示部２７と、縦軸方向表示手段により縦軸方向に表示されている入出力端子を選択して表示デバイス２０ａ〜２０ｃを選択する縦軸方向選択手段である縦軸方向選択部２８と、横軸方向表示手段により横軸方向に表示されている表示デバイス２１ａ〜２１ｃを選択する横軸方向選択手段である横軸方向選択部２９とから構成されている。
【００３０】
このような構成からなる電子機器２５及び重畳表示するテレビジョン受像機１０において、縦軸方向にはアナログ信号用の入出力端子からなるＬｉｎｅー１（第１のデバイス）（２０ａ）、Ｌｉｎｅー２（第２のデバイス）（２０ｂ）とデジタル信号用の入出力端子である”１３９４”（２０ｃ）を表示するようにしてアナログ信号のデバイスとデジタル信号のデバイスとが混在している入出力端子であっても物理的に接続することができる入出力端子を縦軸方向に表示する。そして横軸方向には論理的に識別できる”１３９４”であるＩＥＥＥ１３９４規格に準拠したデジタルバス１３にデイジーチェーンで接続されているデバイスである、ＶＣＲ（第３のデバイス）（２１ａ）、ＨＤＤ（第４のデバイス）（２１ｂ）、ＤＶＤ（第５のデバイス）（２１ｃ）が表示される。このようなメニュー１８の表示に対して、縦軸方向選択部２８と横軸方向選択部２９は、縦軸方向に表示されている表示デバイス２０ａ〜２０ｃを選択してから横軸方向に表示されている表示デバイス２１ａ〜２１ｃを選択するようにする。例えば、Ｌｉｎｅー１（２０ａ）、Ｌｉｎｅー２（２０ｂ）、１３９４（２０ｃ）が縦軸方向に表示されているとすれば、”１３９４”（２０ｃ）をカーソルにて選択指定し、次に、この”１３９４”（２０ｃ）の横軸におけるＶＣＲ（２１ａ）を選択指示することによりデバイスを特定することができるのである。又、直接に表示デバイスＶＣＲ（２１ａ）を選択指定すると、縦軸／横軸の選択操作をする必要がなく直接に選択決定することができる。
【００３１】
次に、第４の実施形態の電子機器に接続されているデバイスの選択方法を具現化した電子機器について、図面を参照して説明する。
【００３２】
第４の実施形態の電子機器は、第３の実施の形態で説明した図４に示す電子機器と同じ構成になっており、テレビジョン受像機１０に接続した電子機器２５Ａと、この電子機器２５Ａの入出力端子に接続した複数のデバイス１３〜１６とから構成されている。入出力端子は、アナログ信号のデバイスと接続する入出力端子Ｌｉｎｅー１には第１のデバイス（例えばＶＴＲ）１１を接続し、入出力端子Ｌｉｎｅー２には第２のデバイス（例えばＬＤＰ）１２を接続し、デジタル信号のデバイスと接続する入出力端子には、ＩＥＥＥ１３９４規格に準拠したデジタルバス１３が接続され、このデジタルバス１３はデイジーチェーンに接続されているＤｅｖｉｃｅー１に第３のデバイス（実施例においてＶＣＲ）１４を接続し、Ｄｅｖｉｃｅー２には第４のデバイス（実施例においてＨＤＤ）１５、Ｄｅｖｉｃｅー３には第５のデバイス（実施例においてＤＶＤ）１６を接続した構成となっている。尚、電子機器２５Ａはテレビジョン受像機１０に合体した構成でもよく、又は別体に形成してもよいことは第３の実施の形態と同様である。
【００３３】
このような構成からなる電子機器２５Ａには、テレビジョン受像機１０の画面上にデバイスを選択すためのメニューを重畳表示（ＯＳＤ；Ｏｎ  Ｓｃｒｅｅｎ
Ｄｉｓｐｌａｙ）する機能が備わっている。
【００３４】
このメニュー１８を表示及び選択するための構成は、図６に示すように、複数個の物理的に接続することができるデバイス１１〜１３を横軸方向に表示する横軸方向表示手段である横軸方向表示部２７Ａと、入出力端子に接続してあり且つその接続状態を論理的に識別することができるデバイス１４〜１６を縦軸方向に表示する縦軸方向表示手段である縦軸方向表示部２６Ａと、横軸方向表示手段により横軸方向に表示されている入出力端子を選択して表示デバイス２２ａ〜２２ｃを選択する横軸方向選択手段である横軸方向選択部２９Ａと、縦軸方向表示手段により縦軸方向に表示されている表示デバイス２３ａ〜２３ｃを選択する縦軸方向選択手段である縦軸方向選択部２８Ａとから構成されている。
【００３５】
このような構成からなる電子機器２５Ａにおいて、横軸方向にはアナログ信号のデバイスを接続する入出力端子からなるＬｉｎｅー１（第１のデバイス）（２２ｂ）、Ｌｉｎｅー２（第２のデバイス）（２２ｃ）とデジタル信号のデバイスを接続する入出力端子である”１３９４”（２２ａ）を表示するというアナログ信号のデバイスとデジタル信号のデバイスとが混在している入出力端子であっても物理的に識別できる入出力端子を横軸方向に表示する。そして、縦軸方向には論理的に識別できる”１３９４”であるＩＥＥＥ１３９４規格に準拠したデジタルバス１３にデイジーチェーンで接続されているデバイスであるＶＣＲ（第３のデバイス）（２３ａ）、ＨＤＤ（第４のデバイス）（２３ｂ）、ＤＶＤ（第５のデバイス）（２３ｃ）が表示される。このようなメニュー１８の表示に対して、横軸方向選択部２９Ａと縦軸方向選択部２８Ａは、横軸方向に表示されている表示デバイス２２ａ〜２２ｃを選択してから縦軸方向に表示されている表示デバイス２３ａ〜２３ｃを選択するようにする。例えば、Ｌｉｎｅー１（２２ｂ）、Ｌｉｎｅー２（２２ｃ）、１３９４（２２ａ）が横軸方向に表示されているとすれば、”１３９４”（２２ａ）をカーソルにて選択指定し、次に、この”１３９４”（２２ａ）の縦軸におけるＤＶＤ（２３ｃ）を選択指示することによりデバイスを特定することができるのである。又、直接に表示デバイスＶＣＲ（２３ｃ）を選択指定すると、縦軸／横軸の選択操作をする必要がなく直接に選択決定することができる。
【００３６】
次に、第５の実施形態の電子機器に接続されているデバイスの選択方法を具現化するための電子機器について、図面を参照して説明する。
【００３７】
第５の実施形態の電子機器に接続されているデバイスの選択方法を具現化するための構成は、電子機器であるテレビジョン受像機に複数の入出力端子を備えると共に接続されているデバイス間同士を選択して接続する機能を備えている。テレビジョン受像機１０には、図７に示すように、複数の入出力端子とデバイス間を接続する機器制御部３５とを備えた構成になっている。
【００３８】
複数の入出力端子は、プロトコルの異なるデバイスが物理的に異なった形態で接続することができるようになっている。それは、アナログ信号のデバイスと接続する入出力端子Ｌｉｎｅー１には第１のデバイス（例えば、ＶＴＲ）１１を接続し、入出力端子Ｌｉｎｅー２には第２のデバイス（例えば、ＬＤＰ）１２を接続し、ＩＥＥＥ１３９４規格に準拠したデジタルバス１３を形成するデジタル信号のデバイスに接続する入出力端子にはデイジーチェーンで接続されたＤｅｖｉｃｅー１に第１のデバイス（例えば、ＶＣＲ）１４を接続し、Ｄｅｖｉｃｅー２に第２のデバイス（例えば、ＨＤＤ）１５を接続し、Ｄｅｖｉｃｅー３に第３のデバイス（例えば、ＤＶＤ）１６を接続し、ＵＳＢのデジタルバス３０のデバイスが接続する入出力端子にはＤｅｖｉｃｅー４に第１のデバイス（例えば、メモリステイック等のメモリカード）３１を接続し、Ｄｅｖｉｃｅー５に第２のデバイス（例えば、スチルカメラ）３２を接続し、Ｄｅｖｉｃｅー６に第３のデバイス（例えば、スキャナ）３３を接続し、Ｄｅｖｉｃｅ―７に第４のデバイス（例えば、ビデオカメラ）３４を接続した構成となっている。
【００３９】
機器制御部３５は、選択されたデバイスが入力先又は出力先のデバイス又はデバイス間の接続をするものであり、図８に示すように、複数の入出力端子のうち入力側を物理的に切替える入力切替スイッチＳＷ１と、入出力端子のうち出力側を物理的に切替える出力切替スイッチＳＷ２と、ＩＥＥＥ１３９４の入出力端子に接続されているデバイスを論理的に切替えるＩ／Ｏ部３６と、ＵＳＢ（Ｕｎｉｖｅｒｓａｌ  Ｓｅｒｉａｌ  Ｂｕｓ）の入出力端子に接続されているデバイスを論理的に切替えるＩ／Ｏ部３７と、これらのスイッチＳＷ１、ＳＷ２及びＩ／Ｏ部３６，３７及び重畳表示部（ＯＳＤ）３８の制御をするコントローラ３９とから構成されている。又、入力切替スイッチＳＷ１は、チューナ４０からの信号を入力できる構成となっている。ここでのチューナ４０は、例えば、ＣＳ放送、ＢＳ放送、地上波による放送が該当する。
【００４０】
このような構成における機器制御部３５において、コントローラ３９は重畳表示されているディスプレイ１８に表示されているメニューに基いて選択されたデバイスに合わせてスイッチＳＷ１、ＳＷ２を制御すると共に、理論的な操作はＩ／Ｏ部３６、３７を操作して入出力端子同士を接続してデバイス間の接続を行う。又は、入力先又は出力先のデバイスを選択する。
【００４１】
このような構成からなるテレビジョン受像機１０において重畳表示（ＯＳＤ）によるデバイスの選択は、先ず、図９に示すように、テレビジョン受像機１０の画面１７に重畳表示するメニュー１８を見ながら所望のデバイス１１、１２、１４〜１６、３１〜３４を選択する。このメニュー１８の画面表示は、プロトコルの異なるデバイスが物理的に異なった形態であるデバイス１１〜１３、３０を縦軸方向に表示した表示デバイス２０ａ〜２０ｄと、この入出力端子に接続してあり且つその接続状態を論理的に識別することができるデバイス１４〜１６、３１〜３４を横軸方向に表示した表示デバイス２１ａ〜２１ｇとからなる。このような縦横の表示デバイス２１ａ〜２１ｃ、２１ｄ〜２１ｇのいずれかを選択してデバイス１１、１２、１４〜１６、３１〜３４を選択する。
【００４２】
ここで、プロトコルの異なるデバイスが物理的に異なった形態で接続することができる複数個の入出力端子は、アナログ信号のデバイスと接続する入出力端子Ｌｉｎｅー１、Ｌｉｎｅー２、デジタルバス１３、３０に接続するためのデジタル信号のデバイスと接続する入出力端子とを混在した構成となっている。実施例において、縦軸方向に表示するデバイス１１〜１３、３０は入出力端子Ｌｉｎｅー１（２０ａ；第１のデバイス１１）、Ｌｉｎｅー２（２０ｂ；第２のデバイス１２）、デジタルバス１３を表す”１３９４”（２０ｃ；ＩＥＥＥ１３９４に準拠したプロトコルからなるデジタルバス）、デジタルバス３０を表す“ＵＳＢ”（２０ｄ；マスター／スレーブ関係のデジタルバス）である。
【００４３】
そして、ＩＥＥＥ１３９４に準拠したデジタルバス１３に接続され、横軸方向に表示する論理的に識別することができるデバイス１４〜１６は、第１のデバイスに相当するＶＣＲ（２１ａ）、第２のデバイスに相当するＨＤＤ（２１ｂ）、第３のデバイスに相当するＤＶＤ（２１ｃ）がそれぞれ表示される。又、ＵＳＢ仕様のデジタルバス３０に接続され、横軸方向に表示する論理的に識別することができるデバイス３１〜３４は、第１のデバイスに相当するメモリカードであるＣＡＲＤ（２１ｄ）、第２のデバイスに相当するスチルカメラであるＳｔｉｌｌ（２１ｅ）、第３のデバイスに相当するＶｉｄｅｏ（２１ｆ）、第４のデバイスに相当するスキャナであるＳｃａｎ（２１ｇ）がそれぞれ表示される。
【００４４】
このように縦横方向にデバイス１１〜１６、３０〜３４を表示（２０ａ〜２０ｄ、２１ａ〜２１ｇ）した場合には、先ず、縦軸方向に表示されているデバイス１１〜１３、３０（表示デバイス２０ａ〜２０ｄ）を選択する。図９に示す実施例の場合はカーソルが指しているＵＳＢ（表示デバイス２０ｄ）が選択されたことになる。
【００４５】
次に、横軸方向に表示されているデバイス３１〜３４（表示デバイス２１ｄ〜２１ｇ）を選択する場合には、横軸方向に表示されている所望のデバイス３１〜３４の表示デバイス２１ｄ〜２１ｇ、実施例においてデバイス”Ｓｔｉｌｌ”（２１ｅ）を指して選択するとスチルカメラが選択される。
【００４６】
尚、この横軸方向に表示されているデバイス３１〜３４の選択は、このように直接選択する手法に加えて、先ず、横軸方向に表示されているデバイス１４〜１６、３１〜３４（表示デバイス２１ａ〜２１ｃ、２１ｄ〜２１ｇ）を選択してから縦軸方向のデバイス１１〜１３、３０（表示デバイス２０ａ〜２０ｄ）を選択するようにしてもよい。
【００４７】
図９に示す実施例の場合には、先ず、”Ｓｔｉｌｌ”（２１ｅ）を選択した後に、縦軸方向の”ＵＳＢ”（２０ｄ）を選択する。尚、図示していないが、カーソルで所望のデバイスを選択決定した時には、その表示状態が反転表示、ブリンク表示等を行わせるようにしてもよく、又、カーソルで指示したデバイスの表示態様を変化させるようにしてもよいことは勿論のことである。更に、選択して決定されたデバイスはメニュー１８の選択入力（Ｓｅｌｅｃｔ Ｉｎｐｕｔ）をクリックすることにより選択決定できるようになっている。
【００４８】
このようにして、デバイス１１〜１３、３０、１４〜１６、３１〜３４の接続態様に対応させたデバイスの表示デバイス２０ａ〜２０ｄ、２１ａ〜２１ｇを縦横に変化させることにより、デバイス１１〜１６の接続態様の識別が極めて簡単且つ容易に認識することができるのである。
【００４９】
次に、上記説明した接続されているデバイス間を接続する実施例について説明する。デバイス間の接続は、上記図８に示した機器制御部３８のスイッチＳＷ１、ＳＷ２を制御してデバイス間の接続を行う。
【００５０】
先ず、デバイス間の接続を行うためには、図１０に示すように、テレビジョン受像機１０において重畳表示（ＯＳＤ）するメニュー１８によりデバイスを選択する。即ち、テレビジョン受像機１０の画面１７に重畳表示するメニュー１８を見ながら所望のデバイス１１、１２、１４〜１６、３１〜３４を選択するのである。このメニュー１８の画面表示は、ソース側のデバイスを選択するためのソースデバイス（Ｓｏｕｒｃｅ  Ｄｅｖｉｃｅ）のメニューと、ディステネーション側のデバイスを選択するためのシンクデバイス（Ｓｉｎｋ  Ｄｅｖｉｃｅ）のメニューとが表示され、そのメニュー表示される形態は同じ形態となっている。
【００５１】
ソースデバイスのメニュー及びシンクデバイスのメニューは、複数個の物理的に識別できるデバイス１１〜１３、３０を縦軸方向に表示した表示デバイス２０ａ〜２０ｄと、この入出力端子に接続してあり且つその接続状態を論理的に識別することができるデバイス１４〜１６、３１〜３４を横軸方向に表示した表示デバイス２１ａ〜２１ｇとからなる。
【００５２】
このような縦横の表示デバイス２１ａ〜２１ｃ、２１ｄ〜２１ｇのいずれかを選択してデバイス１４〜１６、３１〜３４を選択する。実施例においては、縦軸方向に表示する物理的に形態の異なるデバイス１１、１２、１３、３０は、アナログ信号のデバイスと接続する入出力端子Ｌｉｎｅー１（２０ａ；第１のデバイス１１）、Ｌｉｎｅー２（２０ｂ；第２のデバイス１２）、デジタルバス１３を表す”１３９４”（２０ｃ；ＩＥＥＥ１３９４に準拠したプロトコルからなるデジタルバス）、デジタルバス３０を表す“ＵＳＢ”（２０ｄ；マスター／スレーブ関係のデジタルバス）である。
【００５３】
又、ＩＥＥＥ１３９４に準拠したデジタルバス１３に接続され、横軸方向に表示すると共に論理的に識別することができるデバイス１４〜１６は、第１のデバイスに相当するＶＣＲ（２１ａ）、第２のデバイスに相当するＨＤＤ（２１ｂ）、第３のデバイスに相当するＤＶＤ（２１ｃ）がそれぞれ表示される。更に、ＵＳＢ仕様のデジタルバス３０に接続され、横軸方向に表示する論理的に識別することができるデバイス３１〜３４は、第１のデバイスに相当するメモリカードであるＣＡＲＤ（２１ｄ）、第２のデバイスに相当するスチルカメラであるＳｔｉｌｌ（２１ｅ）、第３のデバイスに相当するＶｉｄｅｏ（２１ｆ）、第４のデバイスに相当するスキャナであるＳｃａｎ（２１ｇ）がそれぞれ表示される。
【００５４】
このようにソースデバイス及びシンクデバイスのメニュー表示を、縦横方向にデバイス１１〜１６、３０〜３４を表示（２０ａ〜２０ｄ、２１ａ〜２１ｇ）した場合には、先ず、ソースデバイス側の縦軸方向に表示されているデバイス１１〜１３、３０（表示デバイス２０ａ〜２０ｄ）を選択する。実施例の場合はカーソルが指している１３９４（表示デバイス２０ｃ）が選択されたことになる。
【００５５】
次に、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃ、実施例においてデバイス”ＶＣＲ”（２１ａ）を指して選択するとビデオカセットレコーダを選択する。
【００５６】
次に、シンクデバイス側のメニューに従って、ディステネーション側のデバイスの選択をする。縦横方向にデバイス１１〜１６、３０〜３４を表示（２０ａ〜２０ｄ、２１ａ〜２１ｇ）した場合には、先ず、ソースデバイス側の縦軸方向に表示されているデバイス１１〜１３、３０（表示デバイス２０ａ〜２０ｄ）を選択する。実施例の場合はカーソルが指している１３９４（表示デバイス２０ｃ）が選択されたことになる。
【００５７】
次に、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃ、実施例においてデバイス”ＨＤＤ”（２１ｂ）を指して選択するとハードデイスクドライブが選択される。
【００５８】
このようにして、ソースデバイスのメニュー１８において“１３９４”のデジタルバスに接続されている“ＶＣＲ”を選択し、シンクデバイスのメニューにおいて、“１３９４”のデジタルバスに接続されている“ＨＤＤ”を選択すると、接続するデバイスは、“ＶＣＲ”と“ＨＤＤ”とが接続できることになり、図示しない操作によって、両者間でのデータの送受信を行うことができるのである。又、このメニュー１８によりデバイスを選択する手法は、入力先のデバイスを特定するとき、及び出力先のデバイスを特定するときにも同じ手法で特定できるのである。
【００５９】
次に、第６の実施形態の電子機器に接続されているデバイスの選択方法について、図面を参照して説明する。この第６の実施形態の電子機器における機器を選択するメニュー表示が、物理的接続を横軸に表示し、論理的接続を縦軸に表示した構成となっている。
【００６０】
第６の実施形態の電子機器に接続されているデバイスの選択方法を具現化するための構成は、上記第５の実施形態で説明した図７及び図８に示す構成と同じであるのでその接続状態の説明は省略する。
【００６１】
上記構成からなるテレビジョン受像機１０において重畳表示（ＯＳＤ）によるデバイスの選択は、先ず、図１１に示すように、テレビジョン受像機１０の画面１７に重畳表示するメニュー１８を見ながら所望のデバイス１１、１２、１４〜１６、３１〜３４を選択する。このメニュー１８の画面表示は、複数個の物理的に識別できるデバイス１１、１２、１３、３０を横軸方向に表示した表示デバイス２２ａ〜２２ｄと、この入出力端子に接続してあり且つその接続状態を論理的に識別することができるデバイス１４〜１６、３１〜３４を縦軸方向に表示した表示デバイス２３ａ〜２３ｇとからなる。
【００６２】
このように縦横方向にデバイス１１〜１６、３０〜３４を表示（２２ａ〜２２ｄ、２３ａ〜２３ｇ）した場合には、先ず、横軸方向に表示されているデバイス１１〜１３、３０（表示デバイス２２ａ〜２２ｄ）を選択する。図１１に示す実施例の場合はカーソルが指しているＵＳＢ（表示デバイス２２ａ）が選択されたことになる。
【００６３】
次に、縦軸方向に表示されているデバイス３１〜３４（表示デバイス２３ｄ〜２３ｇ）を選択する場合には、縦軸方向に表示されている所望のデバイス３１〜３４の表示デバイス２３ｄ〜２３ｇ、実施例においてデバイス”Ｓｔｉｌｌ”（２３ｅ）を指して選択するとスチルカメラが選択される。
【００６４】
このようにして、デバイス１１〜１３、３０、１４〜１６、３１〜３４の接続態様に対応させたデバイスの表示デバイス２２ａ〜２２ｄ、２３ａ〜２３ｇを縦横に変化させることにより、デバイス１１〜１６の接続態様の識別が極めて簡単且つ容易に認識することができるのである。
【００６５】
次に、デバイス間接続の選択は、上記図８に示した機器制御部３８のスイッチＳＷ１、ＳＷ２を制御してデバイス間の接続を行う。先ず、デバイス間の接続を行うためには、図１２に示すように、ソース側のデバイスを選択するためのソースデバイス（Ｓｏｕｒｃｅ  Ｄｅｖｉｃｅ）のメニューと、ディステネーション側のデバイスを選択するためのシンクデバイス（Ｓｉｎｋ  Ｄｅｖｉｃｅ）のメニューを、ソースデバイスのメニューで入力先のデバイスを特定し、シンクデバイスのメニューで出力先のデバイスを特定する。
【００６６】
ソースデバイスのメニュー及びシンクデバイスのメニューは、複数個の物理的に識別できるデバイス１１〜１３、３０を横軸方向に表示した表示デバイス２２ａ〜２２ｄと、この入出力端子に接続してあり且つその接続状態を論理的に識別することができるデバイス１４〜１６、３１〜３４を縦軸方向に表示した表示デバイス２３ａ〜２３ｇとからなる。
【００６７】
このソースデバイス及びシンクデバイスのメニュー表示において、縦横方向にデバイス１１〜１６、３０〜３４を表示（２２ａ〜２２ｄ、２３ａ〜２３ｇ）した場合には、先ず、ソースデバイス側の縦軸方向に表示されているデバイス１１〜１３、３０（表示デバイス２２ａ〜２０ｄ）を選択する。実施例の場合はカーソルが指しているＵＳＢ（表示デバイス２２ａ）が選択されたことになる。
【００６８】
次に、縦軸方向に表示されているデバイス３１〜３４（表示デバイス２３ｄ〜２３ｇ）を選択する。実施例において第１のデバイスである”ＣＡＲＤ”（２３ｄ）を指して選択するとメモリカードが選択される。
【００６９】
次に、シンクデバイス側のメニューに従って、ディステネーション側の機器の選択をする。横軸方向にデバイス１１〜１６、３０（２０ａ〜２０ｄ）を表示した場合には、先ず、シンクデバイス側の横軸方向に表示されているデバイス１１〜１３、３０（表示デバイス２２ａ〜２２ｄ）を選択する。実施例の場合はカーソルが指している１３９４（表示デバイス２２ｂ）が選択されたことになる。
【００７０】
次に、縦軸方向に表示されているデバイス１４〜１６（表示デバイス２３ａ〜２３ｃ）を選択する場合には、縦軸方向に表示されている所望のデバイス１４〜１６の表示デバイス２３ａ〜２３ｃ、実施例においてデバイス”ＨＤＤ”（２３ａ）を指して選択するとハードデイスクドライブが選択される。
【００７１】
このようにして、ソースデバイスのメニューにおいて“１３９４”のデジタルバスに接続されている“ＣＡＲＤ”を選択し、シンクデバイスのメニューにおいて、“１３９４”のデジタルバスに接続されている“ＨＤＤ”を選択すると、デバイス間の接続は、“ＣＡＲＤ”と“ＨＤＤ”とが接続できることになり、図示しない操作によって、両者間でのデータの送受信を行うことができるのである。
【００７２】
次に、第７の実施形態の電子機器に接続されているデバイスの方法を具現化するための電子機器について、図面を参照して説明する。この電子機器は、画面に重畳表示する使用できないデバイスと使用できるデバイスとを視認できるようにしたものである。
【００７３】
第７の実施形態の電子機器に接続されているデバイスの選択方法を具現化するための構成は、電子機器であるテレビジョン受像機に複数の入出力端子を備えると共に接続されているデバイス間同士を選択して接続する機能に加えて、入力先デバイスの特定、出力先のデバイスを特定する機能を備えた構成になっており、上記示した第５の実施形態の電子機器で説明した図７及び図８と同様の接続形態となっているため、その接続形態の説明は省略する。
【００７４】
テレビジョン受像機１０において重畳表示（ＯＳＤ）によるデバイスの選択は、先ず、図１３に示すように、テレビジョン受像機１０の画面１７に重畳表示するメニュー１８を見ながら所望のデバイス１１、１２、１４〜１６、３１〜３４を選択する。このメニュー１８の画面表示は、プロトコルの異なるデバイスが物理的に異なった形態で接続できるデバイス１１〜１３、３０を縦軸方向に表示した表示デバイス２０ａ〜２０ｃと、このデバイス１３、３０との接続状態を論理的に識別することができるデバイス１４〜１６、３１〜３４を横軸方向に表示した表示デバイス２１ｄ〜２１ｇとからなる。
【００７５】
このように縦横方向にデバイス１１〜１６、３０〜３４の表示デバイス（２０ａ〜２０ｄ、２１ａ〜２１ｇ）は、そのデバイスの電源がオフの場合とか、アクセスできない状態のときには、網掛け表示や、囲み線を変える、色を変える、ブリンクさせる等して視認により明瞭に解るようにする。図１３においては、表示デバイス２１ａのデバイス１４の“ＶＣＲ”がアクセス中等の条件によりブリンクしている状態を示し、表示デバイス２１ｃの“ＤＶＤ”、表示デバイス２１ｅの“Ｓｔｉｌｌ”、表示デバイス２１ｆの“Ｖｉｄｅｏ”が電源オフ等の使用できない状態を示している。この表示に関しては、様々な形態が考えられる。例えば、図１４に示すメニューにおいては使用できない機器には×印を付けるようにしている。ここで使用できない機器は、表示デバイス２１ｃの“ＤＶＤ”、デバイスを接続するスペアを表示してある枠Ｐ、表示デバイス２１ｄの“ＣＡＲＤ”が該当する。このように、何らかの理由で接続されている機器の使用状態を表現するようにして、その機器の状態が解り、予め使用を中止する等できるのである。
【００７６】
次に、第８の実施形態の電子機器に接続されているデバイスの方法を具現化するための電子機器について、図面を参照して説明する。
【００７７】
第８の実施形態の電子機器に接続されているデバイスの選択方法を具現化するための構成は、電子機器であるテレビジョン受像機にデジタルバス及び無線によるデバイスと接続するための複数の入出力端子を備えると共に接続されているデバイス間同士を選択して接続する機能を備えた構成になっている。図１５に示すように、テレビジョン受像機１０には、複数の入出力端子とデバイス間を接続する機能、入力先のデバイスを特定、出力先のデバイスを特定する機能を有する機器制御部３５を設けた構成となっている。
【００７８】
複数の入出力端子は、プロトコルの異なるデバイスが物理的に異なった形態で接続することができる。この入出力端子は、図１５に示すように、アナログ信号のデバイスと接続することができる入出力端子Ｌｉｎｅー１には第１のデバイス（例えば、ＶＴＲ）１１を接続し、入出力端子Ｌｉｎｅー２には第２のデバイス（例えば、ＬＤＰ）１２を接続し、ＩＥＥＥ１３９４規格に準拠したデジタルバス１３を形成するデジタル信号のデバイスに接続することができる入出力端子にはデイジーチェーンで接続されたＤｅｖｉｃｅー１に第１のデバイス（例えば、ＶＣＲ）１４を接続し、Ｄｅｖｉｃｅー２に第２のデバイス（例えば、ＨＤＤ）１５を接続し、Ｄｅｖｉｃｅー３に第３のデバイス（例えば、ＤＶＤ）１６を接続している。
【００７９】
又、ＵＳＢのデジタルバス３０が接続することができる入出力端子にはＤｅｖｉｃｅー４に第１のデバイス（例えば、メモリステイック等のメモリカード）３１を接続し、Ｄｅｖｉｃｅー５に第２のデバイス（例えば、スチルカメラ）３２を接続し、Ｄｅｖｉｃｅー６に第３のデバイス（例えば、スキャナ）３３を接続し、Ｄｅｖｉｃｅ―７に第４のデバイス（例えば、ビデオカメラ）３４を接続している。
【００８０】
無線端子である例えば２.４Ｇｈｚ帯であって数十メートルの範囲に電波が届くように設計されている無線機能を備えたデバイス、例えばＩＥＥＥ８０２.１５ＷＰＡＮ（Ｗｏｒｋｉｎｇ  ｇｒｏｕｐ  ｆｏｒ  Ｗｉｒｅｌｅｓｓ  Ｐｅｒｓｏｎａｌ  Ａｒｅａ  Ｎｅｔｗｏｒｋ；商品名Ｂｌｕｅ  ｔｏｏｔｈ）の規格に準拠したデバイス４１が接続できる入出力端子には、Ｄｅｖｉｃｅ―８に第１のデバイス（例えば、プリンタ）４１を接続し、Ｄｅｖｉｃｅー９に第２のデバイス（例えば、電話機）４３を接続し、Ｄｅｖｉｃｅー１０に第３のデバイス（例えば、デジタルカメラ）４４を接続している。
【００８１】
機器制御部３５は、図１６に示すように、複数の入出力端子のうち入力端子側を物理的に切替える入力切替スイッチＳＷ１と、入出力端子のうち出力側を物理的に切替える出力切替スイッチＳＷ２と、ＩＥＥＥ１３９４の入出力端子に接続されているデバイスを論理的に切替えるＩ／Ｏ部３６と、ＵＳＢの入出力端子に接続されているデバイスを論理的に切替えるＩ／Ｏ部３７と、無線機能を有するデバイスと接続することができるバスと接続する入出力端子に接続されているデバイスを論理的に切替えるＩ／Ｏ部４５と、これらのスイッチＳＷ１、ＳＷ２及びＩ／Ｏ部３６、３７、４５及び重畳表示部（ＯＳＤ）３８の制御をするコントローラ３９とから構成されている。スイッチＳＷ１は、チューナ４０及びスイッチＳＷ１の一端子に接続する構成となっている。ここでのチューナ４０は、受信できる放送の全てが該当し，例えば、ＣＳ放送、ＢＳ放送、地上波による放送が該当する。
【００８２】
このような構成において、コントローラ３９は重畳表示されているディスプレイ１８のメニューを見ながらの操作に基いて物理的な端子をスイッチＳＷ１、ＳＷ２を制御すると共に、理論的な操作はＩ／Ｏ部３６、３７、４５を操作して端子同士を接続してデバイス間の接続を行う。また、このスイッチＳＷ１、ＳＷ２は出力先のデバイスを特定したり、入力先のデバイスを特定するときにも使用することができる。即ち、スイッチＳＷ１を特定のデバイスの端子と接続しておき、スイッチＳＷ２を制御することにより、特定のデバイスからのデータは指定されたデバイスに送信することができるのである。
【００８３】
このような構成からなるテレビジョン受像機１０において重畳表示（ＯＳＤ）によるデバイスの選択は、先ず、図１７に示すように、テレビジョン受像機１０の画面１７に重畳表示するメニュー１８を見ながら所望のデバイス１１、１２、１４〜１６、３１〜３３、４２〜４４を選択する。このメニュー１８の画面表示は、複数個の物理的に識別できるデバイス１１〜１３、３０、４１を縦軸方向に表示した表示デバイス２０ａ〜２０ｅと、この入出力端子に接続してあり且つその接続状態を論理的に識別することができるデバイス１４〜１６、３１〜３３、４２〜４４を横軸方向に表示した表示デバイス２１ａ〜２１ｊとからなる。
【００８４】
このような縦横の表示デバイス２０ａ〜２０ｅ、２１ａ〜２１ｃ、２１ｄ〜２１ｆ、２１ｈ〜２１ｊのいずれかを選択してデバイス１４〜１６、３１〜３３、４２〜４４を選択する。
【００８５】
ここで、複数個の物理的に接続することができる入出力端子は、アナログ信号のデバイスに接続する入出力端子Ｌｉｎｅー１、Ｌｉｎｅー２、デジタルバス１３、３０、無線機器（Ｂ．ｔｏｏｔｈ）４１に接続するためのデジタル信号のデバイスに接続する入出力端子を混在した構成となっている。
【００８６】
縦軸方向に表示する物理的に接続できるデバイス１１、１２は、アナログ信号のデバイスと接続する入出力端子Ｌｉｎｅー１（２０ａ；第１のデバイス１１）、Ｌｉｎｅー２（２０ｂ；第２のデバイス１２）で表す。デバイス１３は、ＩＥＥＥ１３９４規格に準拠したプロトコルからなるデジタルバスであり、”１３９４”（２０ｃ）で表す。デバイス３０はＵＳＢ仕様のデジタルバス、即ち、マスター／スレーブ関係のデジタルバスであり、“ＵＳＢ”（２０ｄ）で表す。無線機能を備えたデバイスを接続するバス４１は、ＩＥＥＥ８０２.１５規格に準拠した商品名；Ｂｌｕｅ  Ｔｏｏｔｈを備えたデバイスであり、“Ｂ.ｔｏｏｔｈ”（２０ｅ）で表す。
【００８７】
ＩＥＥＥ１３９４に準拠したデジタルバス１３に接続され、横軸方向に表示する論理的に識別することができるデバイス１４〜１６は、第１のデバイスに相当するＶＣＲ（２１ａ）、第２のデバイスに相当するＨＤＤ（２１ｂ）、第３のデバイスに相当するＤＶＤ（２１ｃ）がそれぞれ表示される。
【００８８】
ＵＳＢ仕様のデジタルバス３０に接続され、横軸方向に表示する論理的に識別することができるデバイス３１〜３３は、第１のデバイスに相当するメモリカードであるＣＡＲＤ（２１ｄ）、第２のデバイスに相当するスチルカメラであるＳｔｉｌｌ（２１ｅ）、第３のデバイスに相当するＶｉｄｅｏ（２１ｆ）がそれぞれ表示される。
【００８９】
無線機能を備えたデバイスが接続するバス４１に接続され、横軸方向に表示する論理的に識別することができるデバイス４２〜４４は、第１のデバイスに相当するプリンタ（ＰＮＴ）（２１ｈ）、第２のデバイスに相当する携帯電話機等の電話機（ＰＨＯＮＥ）（２１ｉ）、第３のデバイスに相当するデジタルカメラ（ＤＥＧ.Ｃ）（２１ｊ）がそれぞれ表示される。
【００９０】
このように縦横方向にデバイス１１、１２、１３〜１６、３０〜３３、４１〜４４を表示デバイス（２０ａ〜２０ｅ、２１ａ〜２１ｊ）として表示した場合には、先ず、縦軸方向に表示されているデバイス１１〜１３、３０、４１（表示デバイス２０ａ〜２０ｅ）を選択する。図１７に示す実施例の場合はカーソルが指しているＢ．ｔｏｏｔｈ（表示デバイス２０ｅ）が選択されたことになる。
【００９１】
次に、横軸方向に表示されているデバイス４２〜４４（表示デバイス２１ｈ〜２１ｊ）を選択する場合には、横軸方向に表示されている所望のデバイス４２〜４４の表示デバイス２１ｈ〜２１ｊ、実施例においてデバイス”ＰＨＯＮＥ”（２１ｉ）を指して選択すると携帯電話機等の電話機が選択される。
【００９２】
このようにして、デバイス１１〜１３、３０、４１、１４〜１６、３１〜３３、４２〜４４の接続態様に対応させたデバイスの表示デバイス２０ａ〜２０ｅ、２１ａ〜２１ｊを縦横に変化させることにより、デバイス１１〜１６、３０〜３３、４１〜４４の接続態様の識別が極めて簡単且つ容易に選択することができるのである。
【００９３】
次に、上記説明した接続されているデバイス間を接続する実施例について説明する。デバイス間接続は、上記図１６に示した機器制御部３５のスイッチＳＷ１、ＳＷ２を制御してデバイス間の接続を行う。
【００９４】
先ず、デバイス間の接続を行うためには、図１８に示すように、テレビジョン受像機１０において重畳表示（ＯＳＤ）によるデバイスの選択をする。即ち、テレビジョン受像機１０の画面１７に重畳表示するメニュー１８を見ながら所望のデバイス１１、１２、１４〜１６、３１〜３３、４２〜４４を選択する。
【００９５】
このメニュー１８の画面表示は、ソース側のデバイスを選択するためのソースデバイス（Ｓｏｕｒｃｅ  Ｄｅｖｉｃｅ）のメニューと、ディステネーション側のデバイスを選択するためのシンクデバイス（Ｓｉｎｋ  Ｄｅｖｉｃｅ）のメニューとが表示され、そのメニュー表示される形態は実施例においては同じ形態である。
【００９６】
ソースデバイスのメニュー及びシンクデバイスのメニューは、複数個の物理的に識別できるデバイス１１〜１３、３０、４１を縦軸方向に表示した表示デバイス２１ａ〜２０ｅと、この入出力端子に接続してあり且つその接続状態を論理的に識別することができるデバイス１４〜１６、３１〜３３、４２〜４４を横軸方向に表示した表示デバイス２１ａ〜２１ｊとからなる。
【００９７】
このような縦横の表示デバイス２１ａ〜２１ｊのいずれかを選択してデバイス１４〜１６、３１〜３３、４２〜４４を選択する。
【００９８】
このようにソースデバイス及びシンクデバイスのメニュー表示を、縦横方向にデバイス１１〜１６、３０〜３３、４１〜４４を表示デバイス（２０ａ〜２０ｅ、２１ａ〜２１ｊ）により表示した場合には、先ず、ソースデバイス側の縦軸方向に表示されているデバイス１１〜１３、３０、４１（表示デバイス２０ａ〜２０ｅ）を選択する。実施例の場合はカーソルが指している１３９４（表示デバイス２０ｃ）が選択されたことになる。
【００９９】
次に、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃを選択する。実施例においてはデバイス”ＨＤＤ”（２１ｂ）を指しておりハードデイスクドライブが選択される。
【０１００】
次に、シンクデバイス側のメニューに従って、ディステネーション側の機器の選択をする。縦横方向にデバイス１１〜１６、３０〜３３、４１〜４４を表示（２０ａ〜２０ｅ、２１ａ〜２１ｊ）した場合には、先ず、ソースデバイス側の縦軸方向に表示されているデバイス１１〜１３、３０、４１（表示デバイス２０ａ〜２０ｅ）を選択する。実施例の場合はカーソルが指している“ＵＳＢ”（表示デバイス２０ｄ）が選択されたことになる。
【０１０１】
次に、横軸方向に表示されているデバイス３１〜３３（表示デバイス２１ｄ〜２１ｆ）を選択する場合には、横軸方向に表示されている所望のデバイス３１〜３３の表示デバイス２１ｄ〜２１ｆ、実施例においてデバイス”Ｖｉｄｅｏ”（２１ｅ）を指して選択するとビデオレコーダが選択される。
【０１０２】
このようにして、ソースデバイスのメニューにおいて“１３９４”の“ＨＤＤ”を選択し、シンクデバイスのメニューにおいて、“ＵＳＢ”のデジタルバスに接続されている“Ｖｉｄｅｏ”を選択すると、接続デバイスは、“ＨＤＤ”と“Ｖｉｄｅｏ”とが接続できることになり、図示しない操作によって、両者間でのデータの送受信を行うことができるのである。
【０１０３】
次に、第９の実施形態の電子機器に接続されているデバイスの選択方法について、図面を参照して説明する。この第９の実施形態の電子機器における機器を選択するメニュー表示が、デジタルバスと無線機能を備えたデバイスを接続するバスとが混在した物理的接続を横軸に表示し、論理的接続を縦軸に表示した構成となっている。
【０１０４】
第９の実施形態の電子機器に接続されているデバイスの選択方法を具現化するための構成は、上記第８の実施形態で説明した図１５及び図１６に示す構成と同じであり、電子機器であるテレビジョン受像機１０に複数の入出力端子と、機器間の接続をする機器制御部３５とを備えた構成となっており、ＩＥＥＥ１３９４のデジタルバス、ＵＳＢのデジタルバス、無線機能を備えたデバイスを接続するバスの物理的な入出力端子を備え、その物理的な形態を有する入出力端子に対する論理的な表示形態を備えている。その接続形態は上記第８の実施形態で説明した図１５及び図１６の構成と同じであるため、その説明は省略する。
【０１０５】
このテレビジョン受像機１０において重畳表示（ＯＳＤ）によるデバイスの選択は、先ず、図１９に示すように、テレビジョン受像機１０の画面１７に重畳表示するメニュー１８を見ながら所望のデバイス１１、１２、１３、３０、４１、１４〜１６、３１〜３３、４２〜４４を選択する。このメニュー１８の画面表示は、複数個の物理的に識別できるデバイス１１〜１３、３０、４１を横軸方向に表示した表示デバイス２２ａ〜２２ｅと、この入出力端子に接続してあり且つその接続状態を論理的に識別することができるデバイス１４〜１６、３１〜３３、４２〜４４を縦軸方向に表示した表示デバイス２１ａ〜２１ｊとからなる。このような縦方向表示デバイス２１ａ〜２１ｊに対して、横方向の表示デバイス２２ａ〜２２ｅのいずれかを選択してデバイス１４〜１６、３１〜３３、４２〜４４を選択する。
【０１０６】
このように縦横方向にデバイス１１〜１６、３０〜３３、４１〜４４を表示（２２ａ〜２２ｄ、２３ａ〜２３ｇ）した場合には、先ず、横軸方向に表示されているデバイス１１〜１３、３０、４１（表示デバイス２２ａ〜２２ｅ）を選択する。図１９に示す実施例の場合はカーソルが指しているＵＳＢ（表示デバイス２２ａ）が選択されたことになる。
【０１０７】
次に、縦軸方向に表示されているデバイス３１〜３４（表示デバイス２１ｄ〜２１ｆ）を選択する場合には、縦軸方向に表示されている所望のデバイス３１〜３３の表示デバイス２１ｄ〜２１ｆを選択する。実施例においては、デバイス”Ｖｉｄｅｏ”（２１ｅ）を指して選択するとビデオレコーダが選択される。
【０１０８】
このようにして、デバイス１１〜１３、３０、１４〜１６、３１〜３３の接続態様に対応させたデバイスの表示デバイス２０ａ〜２０ｄ、２１ａ〜２１ｊを縦横に変化させることにより、デバイス１１〜１６の接続態様の識別が極めて簡単且つ容易に認識することができるのである。
【０１０９】
次に、上記説明した接続されているデバイス間を接続する実施例について説明する。デバイス間接続は、上記図１６に示した機器制御部３５のスイッチＳＷ１、ＳＷ２を制御してデバイス間の接続を行う。先ず、デバイス間の接続を行うためには、図２０に示すように、テレビジョン受像機１０において重畳表示（ＯＳＤ）のメニューによりデバイスの選択を行う。この選択は、テレビジョン受像機１０の画面１７に重畳表示するメニュー１８を見ながら所望のデバイス１１〜１３、３０、４１、１４〜１６、３１〜３３を選択する。このメニュー１８の画面表示は、ソース側のデバイスを選択するためのソースデバイス（Ｓｏｕｒｃｅ  Ｄｅｖｉｃｅ）のメニューと、ディステネーション側のデバイスを選択するためのシンクデバイス（Ｓｉｎｋ  Ｄｅｖｉｃｅ）のメニューとが表示され、そのメニュー表示される形態は同じ形態である。
【０１１０】
ソースデバイスのメニュー及びシンクデバイスのメニューは、複数個の物理的に識別できるデバイス１１〜１３、３０、４１を横軸方向に表示した表示デバイス２２ａ〜２２ｅと、この入出力端子に接続してあり且つその接続状態を論理的に識別することができるデバイス１４〜１６、３１〜３３、４２〜４４を縦軸方向に表示した表示デバイス２３ａ〜２３ｊとからなる。このような縦横の表示デバイス２２ａ〜２２ｅ、２３ａ〜２３ｊのいずれかを選択してデバイス１４〜１６、３１〜３３、４２〜４４を選択する。
【０１１１】
このようにソースデバイス及びシンクデバイスのメニュー表示を、縦横方向にデバイス１１〜１６、３０〜３３を表示（２２ａ〜２２ｅ、２３ａ〜２３ｊ）した場合には、先ず、ソースデバイス側の縦軸方向に表示されているデバイス１１〜１３、３０、４１（表示デバイス２２ａ〜２２ｅ）を選択する。実施例の場合はカーソルが指している１３９４（表示デバイス２２ｃ）が選択されたことになる。
【０１１２】
次に、縦軸方向に表示されているデバイス１４〜１６（表示デバイス２３ａ〜２３ｃ）を選択する場合には、縦軸方向に表示されている所望のデバイス１４〜１６の表示デバイス２３ａ〜２３ｃ、実施例において第１のデバイスである”ＶＣＲ”（２３ａ）を指して選択するとビデオカセットレコーダが選択される。
【０１１３】
次に、シンクデバイス側のメニューに従って、ディステネーション側のデバイスの選択をする。横軸方向にデバイス１１〜１３、３０、４１（２２ａ〜２２ｅ）を表示した場合には、先ず、ソースデバイス側の横軸方向に表示されているデバイス１１〜１３、３０、４１（表示デバイス２２ａ〜２２ｅ）を選択する。実施例の場合はカーソルが指しているＵＳＢ（表示デバイス２２ｄ）が選択されたことになる。
【０１１４】
次に、縦軸方向に表示されているデバイス３１〜３３（表示デバイス２３ｄ〜２３ｆ）を選択する場合には、縦軸方向に表示されている所望のデバイス３１〜３３の表示デバイス２３ｄ〜２３ｆ、実施例においてデバイス”Ｖｉｄｅｏ”（２３ｅ）を指して選択するとビデオレコーダが選択される。
【０１１５】
このようにして、ソースデバイスのメニューにおいて“１３９４”のデジタルバスに接続されている“ＶＣＲ”を選択し、シンクデバイスのメニューにおいて、“ＵＳＢ”のデジタルバスに接続されている“Ｖｉｄｅｏ”を選択すると、接続デバイスは、“ＶＣＲ”と“Ｖｉｄｅｏ”とが接続できることになり、図示しない操作によって、両者間でのデータの送受信を行うことができるのである。
【０１１６】
次に、第１０の実施形態の電子機器に接続されているデバイスの方法を具現化するための電子機器について、図面を参照して説明する。
【０１１７】
第１０の実施形態の電子機器に接続されているデバイスの選択方法を具現化するための構成は、ディスプレイを含むデバイス、例えばテレビジョン受像機と、複数の入出力端子を備えると共に接続されているデバイス間同士を選択して接続する機能を備えたデバイスコントローラとからなる。このデバイスコントローラは、例えば、オーディオチューナを備えたＡＶセレクタ等のレシーバ、ラインセレクタ、ＳＴＢ（セットトップボックス）等である。
【０１１８】
このデバイスコントローラ４６は、図２１に示すように、テレビジョン受像機１０Ａに接続することができると共に、複数の入出力端子とデバイス間を接続する機器制御部３５Ａとからなる。
【０１１９】
複数の入出力端子は、プロトコルの異なるデバイスが物理的に異なった形態で接続することができるものであり、アナログ信号のデバイスと接続する入出力端子と、デジタルバスに接続する入出力端子とからなる。
【０１２０】
アナログ信号のデバイスと接続することができる入出力端子Ｌｉｎｅー１には、第１のデバイス（例えば、ＶＴＲ）１１、入出力端子Ｌｉｎｅー２には第２のデバイス（例えば、ＬＤＰ）１２が接続する。
【０１２１】
ＩＥＥＥ１３９４規格に準拠したデジタルバス１３を形成するデジタル信号のデバイスと接続することができる入出力端子には、デイジーチェーンで接続されたＤｅｖｉｃｅー１に第１のデバイス（例えば、ＶＣＲ）１４、Ｄｅｖｉｃｅー２に第２のデバイス（例えば、ＨＤＤ）１５、Ｄｅｖｉｃｅー３に第３のデバイス（例えば、ＤＶＤ）１６が接続されている。
【０１２２】
ＵＳＢのデジタルバス３０の入出力端子には、Ｄｅｖｉｃｅー４に第１のデバイス（例えば、スチルカメラ）３１、Ｄｅｖｉｃｅー５に第２のデバイス（例えば、スキャナ）３２、Ｄｅｖｉｃｅ―６に第３のデバイス（例えば、ビデオカメラ）３３が接続されている。
【０１２３】
機器制御部３５Ａは、図２２に示すように、複数の入出力端子のうち入力端子側を物理的に切替える入力切替スイッチＳＷ１と、入出力端子のうち出力側を物理的に切替える出力切替スイッチＳＷ２と、ＩＥＥＥ１３９４の入出力端子に接続されているデバイスを論理的に切替えるＩ／Ｏ部３６と、ＵＳＢの入出力端子に接続されているデバイスを論理的に切替えるＩ／Ｏ部３７と、これらのスイッチＳＷ１、ＳＷ２及びＩ／Ｏ部及び重畳表示部（ＯＳＤ）３８の制御をするコントローラ３９とから構成されている。スイッチＳＷ１は、チューナ４０及び入出力端子に接続する構成となっている。ここでのチューナ４０は、放送受信機全てが該当し，例えば、ＣＳ放送、ＢＳ放送、地上波による放送が該当する。
【０１２４】
このような構成において、コントローラ３９は、ディスプレイ（テレビジョン受像機１０Ａ）に重畳表示されているメニューを見ながらの操作に基いて物理的な入出力端子をスイッチＳＷ１、ＳＷ２を制御して接続すると共に、理論的な操作はＩ／Ｏ部３６、３７を操作して端子同士を接続してデバイス間の接続を行う。また、このスイッチＳＷ１、ＳＷ２は出力先のデバイスを選択するときにも使用することができる。即ち、スイッチＳＷ１を特定のデバイスの端子と接続しておき、スイッチＳＷ２を制御することにより、特定のデバイスからのデータは指定されたデバイスと接続することができるのである。
【０１２５】
このような構成からなるデバイスコントローラ４６の制御によってテレビジョン受像機１０Ａに重畳表示（ＯＳＤ）されているメニューは、上述した第５の実施形態で説明した図９に示す表示形態と同じくすることができる。簡単に説明すると、メニュー１８の画面表示は、複数個の物理的に識別できるデバイス１１〜１３、３０を縦軸方向に表示した表示デバイス２１ａ〜２０ｃと、この入出力端子に接続してあり且つその接続状態を論理的に識別することができるデバイス１４〜１６、３１〜３４を横軸方向に表示した表示デバイス２１ｄ〜２１ｇとからなる。
【０１２６】
縦横方向にデバイス１１〜１６、３０〜３４を表示（２０ａ〜２０ｄ、２１ａ〜２１ｇ）した場合には、先ず、縦軸方向に表示されているデバイス１１〜１３、３０（表示デバイス２０ａ〜２０ｄ）を選択する。図９に示す実施例の場合はカーソルが指しているＵＳＢ（表示デバイス２０ｄ）が選択されたことになる。
【０１２７】
次に、横軸方向に表示されているデバイス３１〜３４（表示デバイス２１ｄ〜２１ｇ）を選択する場合には、横軸方向に表示されている所望のデバイス３１〜３４の表示デバイス２１ｄ〜２１ｇ、実施例においてデバイス”Ｓｔｉｌｌ”（２１ｅ）を指して選択するとスチルカメラが選択される。
【０１２８】
このようにして、デバイス１１〜１３，３０、１４〜１６、３１〜３４の接続態様に対応させたデバイスの表示デバイス２０ａ〜２０ｄ、２１ａ〜２１ｇを縦横に変化させることにより、デバイス１１〜１６の接続態様の識別が極めて簡単且つ容易に認識することができるのである。
【０１２９】
次に、上記説明した接続されているデバイス間を接続する実施例について説明する。デバイス間接続は、上記図２２に示した機器制御部３５ＡのスイッチＳＷ１、ＳＷ２を制御してデバイス間の接続を行う。このデバイス間接続を行うメニュー画面は、上述した第５の実施形態で説明した図１０に示すメニュー形態と同様であるので、その説明は簡単に行う。
【０１３０】
ソースデバイスのメニュー及びシンクデバイスのメニューは、複数個の物理的に識別できるデバイス１１〜１３、３０を縦軸方向に表示した表示デバイス２０ａ〜２０ｄと、この入出力端子に接続してあり且つその接続状態を論理的に識別することができるデバイス１４〜１６、３１〜３３を横軸方向に表示した表示デバイス２１ｄ〜２１ｇとからなる。尚、図１０においては、物理的な接続であるＵＳＢの横軸方向の論理的な接続態様が第３のデバイスまでの表示となる。
【０１３１】
このようにソースデバイス及びシンクデバイスのメニュー表示を、縦横方向にデバイス１１〜１６、３０〜３３を表示（２０ａ〜２０ｄ、２１ａ〜２１ｇ）した場合には、先ず、ソースデバイス側の縦軸方向に表示されているデバイス１１〜１３、３０（表示デバイス２０ａ〜２０ｄ）を選択する。実施例の場合はカーソルが指している１３９４（表示デバイス２０ｃ）が選択されたことになる。
【０１３２】
次に、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃ、実施例においてデバイス”ＶＣＲ”（２１ａ）を指して選択するとビデオカセットレコーダが選択される。
【０１３３】
次に、シンクデバイス側のメニューに従って、ディステネーション側のデバイスの選択をする。縦横方向にデバイス１１〜１６、３０〜３４を表示（２０ａ〜２０ｄ、２１ａ〜２１ｇ）した場合には、先ず、ソースデバイス側の縦軸方向に表示されているデバイス１１〜１３、３０（表示デバイス２０ａ〜２０ｄ）を選択する。実施例の場合はカーソルが指している１３９４（表示デバイス２０ｃ）が選択されたことになる。
【０１３４】
次に、横軸方向に表示されているデバイス１４〜１６（表示デバイス２１ａ〜２１ｃ）を選択する場合には、横軸方向に表示されている所望のデバイス１４〜１６の表示デバイス２１ａ〜２１ｃ、実施例においてデバイス”ＨＤＤ”（２１ｂ）を指して選択するとハードデイスクドライブが選択される。
【０１３５】
このようにして、ソースデバイスのメニューにおいて“１３９４”のデジタルバスに接続されている“ＶＣＲ”を選択し、シンクデバイスのメニューにおいて、“１３９４”のデジタルバスに接続されている“ＨＤＤ”を選択すると、接続デバイスは、“ＶＣＲ”と“ＨＤＤ”とが接続できることになり、図示しない操作によって、両者間でのデータの送受信を行うことができるのである。
【０１３６】
次に、メニュー形態を逆にして横軸方向に物理的なデバイスを表示し、縦軸方向に論理的な表示をすることについて説明する。この表示形態は、第６の実施形態で説明した図１１と同様である。ここでは物理的なデバイスのＵＳＢに対して論理的な接続態様が第３のデバイスまでとなる。
【０１３７】
即ち、簡単にその重畳表示されているメニューを説明すると、縦横方向にデバイス１１〜１６、３０〜３３を表示（２２ａ〜２２ｄ、２３ａ〜２３ｆ）した場合には、先ず横軸方向に表示されているデバイス１１〜１３、３０（表示デバイス２２ａ〜２２ｄ）を選択する。図１１に示す実施例の場合はカーソルが指しているＵＳＢ（表示デバイス２２ａ）が選択されたことになる。
【０１３８】
次に、縦軸方向に表示されているデバイス３１〜３４（表示デバイス２３ｄ〜２３ｆ）を選択する場合には、縦軸方向に表示されている所望のデバイス３１〜３３の表示デバイス２３ｄ〜２３ｆ、実施例においてデバイス”Ｓｔｉｌｌ”（２３ｅ）を指して選択するとスチルカメラが選択される。
【０１３９】
このようにして、デバイス１１〜１３、３０、１４〜１６、３１〜３３の接続態様に対応させたデバイスの表示デバイス２２ａ〜２２ｄ、２３ａ〜２３ｆを縦横に変化させることにより、デバイス１１〜１６の接続態様の識別が極めて簡単且つ容易に認識することができるのである。
【０１４０】
次に、上記説明した接続されているデバイス間を接続するための重畳表示メニューは、上記第６の実施形態で説明した図１２に示すメニューと同様である。その中で、物理的な接続のＵＳＢに対する論理的なデバイスが第３のデバイスまでである点が唯一相違するところである。
【０１４１】
その接続態様による重畳表示してあるメニューについて、簡単に説明すると、ソースデバイス及びシンクデバイスのメニュー表示を、縦横方向にデバイス１１〜１６、３０〜３３を表示（２２ａ〜２２ｄ、２３ａ〜２３ｆ）した場合には、先ず、ソースデバイス側の縦軸方向に表示されているデバイス１１〜１３、３０（表示デバイス２２ａ〜２２ｄ）を選択する。実施例の場合はカーソルが指しているＵＳＢ（表示デバイス２２ａ）が選択されたことになる。
【０１４２】
次に、縦軸方向に表示されているデバイス３１〜３３（表示デバイス２３ｄ〜２３ｆ）を選択する場合には、第２のデバイスである”Ｓｔｉｌｌ”（２３ｅ）を指して選択するとスチルカメラが選択される。
【０１４３】
次に、シンクデバイス側のメニューに従って、ディステネーション側の機器の選択をする。横軸方向にデバイス１１〜１３、３０（２０ａ〜２２ｄ）を表示した場合には、先ず、ソースデバイス側の横軸方向に表示されているデバイス１１〜１３、３０（表示デバイス２２ａ〜２２ｄ）を選択する。実施例の場合はカーソルが指している１３９４（表示デバイス２２ｂ）が選択されたことになる。
【０１４４】
次に、縦軸方向に表示されているデバイス１４〜１６（表示デバイス２３ａ〜２３ｃ）を選択する場合には、縦軸方向に表示されている所望のデバイス１４〜１６の表示デバイス２３ａ〜２３ｃ、実施例においてデバイス”ＨＤＤ”（２３ａ）を指して選択するとハードデイスクドライブが選択される。
【０１４５】
このようにして、ソースデバイスのメニューにおいて“１３９４”のデジタルバスに接続されている“Ｓｔｉｌｌ”を選択し、シンクデバイスのメニューにおいて、“１３９４”のデジタルバスに接続されている“ＨＤＤ”を選択すると、接続デバイスは、“Ｓｔｉｌｌ”と“ＨＤＤ”とが接続できることになり、図示しない操作によって、両者間でのデータの送受信を行うことができるのである。又、これは、出力先のデバイスの特定、入力先のデバイスを特定する際にも利用できることは勿論のことである。
【０１４６】
次に、第１１の実施形態の電子機器に接続されているデバイスの方法を具現化するための電子機器について、図面を参照して説明する。
【０１４７】
第１１の実施形態の電子機器に接続されているデバイスの選択方法を具現化するための構成は、ディスプレイを含むデバイス、例えばテレビジョン受像機と、デジタルバス及び無線機能を備えたデバイスのバスに接続することができる複数の入出力端子を備えると共に、接続されているデバイス間同士を選択して接続する機能に加えて、入力先のデバイスを特定する機能、出力先のデバイスを特定する機能を備えたデバイスコントローラとからなる。このデバイスコントローラは、例えば、オーディオチューナを備えたＡＶセレクタ等のレシーバ、ラインセレクタ、ＳＴＢ（セットトップボックス）等である。このデバイスコントローラ４６は、図２３に示すように、テレビジョン受像機１０Ａに接続することができると共に、複数の入出力端子とデバイス間を接続する機器制御部３５Ａとからなる。
【０１４８】
複数の入出力端子は、プロトコルが異なるデバイスが物理的に異なった形態で接続することができるようになっているアナログ信号のデバイスとデジタル信号のデバイスと接続することができる混在した構成となっている。
【０１４９】
アナログ信号のデバイスと接続する入出力端子Ｌｉｎｅー１には、第１のデバイス（例えば、ＶＴＲ）１１を接続し、入出力端子Ｌｉｎｅー２には第２のデバイス（例えば、ＬＤＰ）１２を接続する。
【０１５０】
ＩＥＥＥ１３９４規格に準拠したデジタルバス１３を形成するデジタル信号のデバイスと接続する入出力端子には、デイジーチェーンで接続されたＤｅｖｉｃｅー１に第１のデバイス（例えば、ＶＣＲ）１４、Ｄｅｖｉｃｅー２に第２のデバイス（例えば、ＨＤＤ）１５、Ｄｅｖｉｃｅー３に第３のデバイス（例えば、ＤＶＤ）１６が接続されている。
【０１５１】
ＵＳＢのデジタルバス３０の入出力端子には、Ｄｅｖｉｃｅー４に第１のデバイス（例えば、スチルカメラ）３１、Ｄｅｖｉｃｅー５に第２のデバイス（例えば、スキャナ）３２、Ｄｅｖｉｃｅ―６に第３のデバイス（例えば、ビデオカメラ）３３が接続されている。
【０１５２】
無線機能を備えたデバイスを接続することができるバスと接続する入出力端子４１は、Ｄｅｖｉｃｅー７に第１のデバイス（例えば、プリンタ）４２、Ｄｅｖｉｃｅー８に第２のデバイス（例えば、電話機）４３、Ｄｅｖｉｃｅ―９に第３のデバイス（例えば、デジタルカメラ）４４が接続されている。
【０１５３】
機器制御部３５Ａは、図２４に示すように、複数の入出力端子のうち入力側を物理的に切替える入力切替スイッチＳＷ１と、入出力端子のうち出力側を物理的に切替える出力切替スイッチＳＷ２と、ＩＥＥＥ１３９４の入出力端子に接続されている機器を論理的に切替えるＩ／Ｏ部３６と、ＵＳＢの入出力端子に接続されている機器を論理的に切替えるＩ／Ｏ部３７と、これらのスイッチＳＷ１、ＳＷ２及びＩ／Ｏ部及び重畳表示部（ＯＳＤ）３８の制御をするコントローラ３９とから構成されている。スイッチＳＷ１は、チューナ４０及び入出力端子に接続する構成となっている。ここでのチューナ４０は、放送受信機全てが該当し，例えば、ＣＳ放送、ＢＳ放送、地上波による放送が該当する。
【０１５４】
このような構成において、コントローラ３９は、ディスプレイ（テレビジョン受像機１０Ａ）に重畳表示されているメニューを見ながらの操作に基いて物理的な入出力端子をスイッチＳＷ１、ＳＷ２を制御して接続すると共に、理論的な操作はＩ／Ｏ部３６、３７を操作して端子同士を接続してデバイス間の接続を行う。また、このスイッチＳＷ１、ＳＷ２は出力先のデバイスを選択するときにも使用することができる。即ち、スイッチＳＷ１を特定のデバイスの端子と接続しておき、スイッチＳＷ２を制御することにより、特定のデバイスからのデータは指定されたデバイスと接続することができるのである。
【０１５５】
このような構成からなるデバイスコントローラ４６の制御によってテレビジョン受像機１０Ａに重畳表示（ＯＳＤ）されているメニューは、上述した第８の実施形態で説明した、図１７に示すメニュー画面の表示形態と同じくすることができる。
【０１５６】
簡単に説明すると、縦横方向にデバイス１１、１２、１３〜１６、３０〜３３、４１〜４４を表示デバイス（２０ａ〜２０ｅ、２１ａ〜２１ｊ）として表示した場合には、先ず縦軸方向に表示されているデバイス１１〜１３、３０、４１（表示デバイス２０ａ〜２０ｅ）を選択する。図１７に示す実施例の場合はカーソルが指しているＢ．ｔｏｏｔｈ（表示デバイス２０ｅ）が選択されたことになる。
【０１５７】
次に、横軸方向に表示されているデバイス４２〜４４（表示デバイス２１ｈ〜２１ｊ）を選択する場合には、横軸方向に表示されている所望のデバイス４２〜４４の表示デバイス２１ｈ〜２１ｊ、実施例においてデバイス”ＰＨＯＮＥ”（２１ｉ）を指して選択すると携帯電話機等の電話機が選択される。
【０１５８】
このようにして、デバイス１１〜１３，３０、４１、１４〜１６、３１〜３３、４２〜４４の接続態様に対応させたデバイスの表示デバイス２０ａ〜２０ｅ、２１ａ〜２１ｊを縦横に変化させることにより、デバイス１１〜１６、３０〜３３、４１〜４４の接続態様の識別が極めて簡単且つ容易に選択することができるのである。
【０１５９】
次に、上記説明した接続されているデバイス間を接続する実施例について説明する。デバイス間接続は、第８の実施形態における図１８に示すように、テレビジョン受像機１０において重畳表示（ＯＳＤ）によりデバイス間の接続を選択することができる。
【０１６０】
簡単に説明すると、ソースデバイス及びシンクデバイスのメニュー表示を、縦横方向にデバイス１１〜１６、３０〜３３、４１〜４４を表示デバイス（２０ａ〜２０ｅ、２１ａ〜２１ｊ）により表示した場合には、先ず、ソースデバイス側の縦軸方向に表示されているデバイス１１〜１３、３０、４１（表示デバイス２０ａ〜２０ｅ）を選択する。実施例の場合はカーソルが指している“１３９４”（表示デバイス２０ｃ）が選択されたことになる。
【０１６１】
次に、横軸方向に表示されているデバイス４２〜４４（表示デバイス２１ｈ〜２１ｊ）を選択する場合には、横軸方向に表示されている所望のデバイス１４〜１６の表示デバイス２１ａ〜２１ｃ、実施例においてデバイス”ＶＣＲ”（２１ａ）を指して選択するとビデオカセットレコーダが選択される。
【０１６２】
次に、シンクデバイス側のメニューに従って、ディステネーション側の機器の選択をする。縦横方向にデバイス１１〜１６、３０〜３３、４１〜４４を表示（２０ａ〜２０ｅ、２１ａ〜２１ｊ）した場合には、先ず、ソースデバイス側の縦軸方向に表示されているデバイス１１〜１３、３０、４１（表示デバイス２０ａ〜２０ｅ）を選択する。実施例の場合はカーソルが指しているＵＳＢ（表示デバイス２０ｄ）が選択されたことになる。
【０１６３】
次に、横軸方向に表示されているデバイス３１〜３３（表示デバイス２１ｄ〜２１ｆ）を選択する場合には、横軸方向に表示されている所望のデバイス３１〜３３の表示デバイス２１ｄ〜２１ｆ、実施例においてデバイス”Ｖｉｄｅｏ”（２１ｅ）を指して選択するとビデオレコーダが選択される。
【０１６４】
このようにして、ソースデバイスのメニューにおいて“１３９４”の“ＶＣＲ”を選択し、シンクデバイスのメニューにおいて、“ＵＳＢ”のデジタルバスに接続されている“Ｖｉｄｅｏ”を選択すると、接続デバイスは、“ＶＣＲ”と“Ｖｉｄｅｏ”とが接続できることになり、図示しない操作によって、両者間でのデータの送受信を行うことができるのである。
【０１６５】
次に、重畳表示するメニューにおいて、横軸に物理的なデバイスを表示し、論理的なデバイスを縦軸に表示して、その選択をするメニューについて説明する。そのメニュー表示は、上述した第９の実施形態の図１９に示したメニュー形態と同様とすることができる。
【０１６６】
簡単に説明すると、縦横方向にデバイス１１〜１６、３０〜３３、４１〜４４を表示（２２ａ〜２２ｄ、２３ａ〜２３ｊ）した場合には、先ず横軸方向に表示されているデバイス１１〜１３、３０、４１（表示デバイス２２ａ〜２２ｅ）を選択する。図１９に示す実施例の場合はカーソルが指しているＵＳＢ（表示デバイス２２ａ）が選択されたことになる。
【０１６７】
次に、縦軸方向に表示されているデバイス３１〜３３（表示デバイス２３ｄ〜２３ｆ）を選択する場合には、縦軸方向に表示されている所望のデバイス３１〜３３の表示デバイス２３ｄ〜２３ｆ、実施例においてデバイス”Ｖｉｄｅｏ”（２３ｅ）を指して選択するとビデオレコーダが選択することができる。
【０１６８】
次に、上記説明した接続されているデバイス間を接続する実施例について説明する。デバイス間接続は、上述した第９の実施形態で説明した図２０に示した重畳表示（ＯＳＤ）によるデバイスの選択は、テレビジョン受像機１０の画面１７に重畳表示するメニュー１８を見ながら所望のデバイス１１〜１３、３０、４１、１４〜１６、３１〜３３を選択する。このメニュー１８の画面表示は、ソース側のデバイスを選択するためのソースデバイス（Ｓｏｕｒｃｅ  Ｄｅｖｉｃｅ）のメニューと、ディステネーション側のデバイスを選択するためのシンクデバイス（Ｓｉｎｋ  Ｄｅｖｉｃｅ）のメニューとが表示され、そのメニュー表示される形態は同じ形態である。
【０１６９】
簡単に説明すると、ソースデバイス及びシンクデバイスのメニュー表示を、縦横方向にデバイス１１〜１６、３０〜３３を表示（２２ａ〜２２ｅ、２３ａ〜２３ｊ）した場合には、先ず、ソースデバイス側の縦軸方向に表示されているデバイス１１〜１３、３０、４１（表示デバイス２２ａ〜２２ｅ）を選択する。実施例の場合はカーソルが指している１３９４（表示デバイス２２ｃ）が選択されたことになる。
【０１７０】
次に、縦軸方向に表示されているデバイス１４〜１６（表示デバイス２３ａ〜２３ｃ）を選択する場合には、縦軸方向に表示されている所望のデバイス１４〜１６の表示デバイス２３ａ〜２３ｃ、実施例において第１のデバイスである”ＶＣＲ”（２３ａ）を指して選択するとビデオカセットレコーダが選択される。
【０１７１】
次に、シンクデバイス側のメニューに従って、ディステネーション側の機器の選択をする。横軸方向にデバイス１１〜１３、３０、４１（２２ａ〜２２ｅ）を表示した場合には、先ず、ソースデバイス側の横軸方向に表示されているデバイス１１〜１３、３０、４１（表示デバイス２２ａ〜２２ｅ）を選択する。実施例の場合はカーソルが指しているＵＳＢ（表示デバイス２２ｄ）が選択されたことになる。
【０１７２】
次に、縦軸方向に表示されているデバイス３１〜３３（表示デバイス２３ｄ〜２３ｆ）を選択する場合には、縦軸方向に表示されている所望のデバイス３１〜３３の表示デバイス２３ｄ〜２３ｆ、実施例においてデバイス”Ｖｉｄｅｏ”（２３ｅ）を指して選択するとビデオレコーダが選択される。
【０１７３】
このようにして、ソースデバイスのメニューにおいて“１３９４”のデジタルバスに接続されている“ＶＣＲ”を選択し、シンクデバイスのメニューにおいて、“ＵＳＢ”のデジタルバスに接続されている“Ｖｉｄｅｏ”を選択すると、接続デバイスは、“ＶＣＲ”と“Ｖｉｄｅｏ”とが接続できることになり、図示しない操作によって、両者間でのデータの送受信を行うことができるのである。
【０１７４】
【発明の効果】
以上説明したように、複数個のデバイスが接続されている電子機器、例えばテレビジョン受像機において、物理的に接続できるデバイス、即ち、アナログ信号のデバイスと接続する入出力端子及びデジタル信号のデバイスと接続する入出力端子に接続されているデバイスは縦軸方向に表示し、デジタルバスに接続されているような論理的に識別できるデバイスは横軸方向に表示、又はこの縦軸方向と横軸方向とを逆に表示するようにしたことによって、アナログ信号のデバイスとデジタル信号、又は無線機能を備えたデバイスが混在した状態で接続されていてもその接続態様が識別し易くなり、選択して特定し易くなるという効果がある。
【図面の簡単な説明】
【図１】本発明に係る第１の実施形態の選択方法及び第３の実施形態の電子機器において、物理的に接続できるデバイスを縦軸方向に表示し、論理的に識別できるデバイスを横軸方向に表示したメニュー画面の説明図である。
【図２】同図１において、そのデバイスを選択して特定する手法を示した説明図である。
【図３】本発明に係る第２の実施形態の選択方法及び第４の実施形態の電子機器において、物理的に接続できるデバイスを横軸方向に表示し、論理的に識別できるデバイスを縦軸方向に表示したメニュー画面の説明図である。
【図４】本発明に係る第３及び第４の実施形態の電子機器の接続構成図を示した説明図である。
【図５】本発明に係る第３の実施形態の電子機器における接続構成及びメニュー画面を示した説明図である。
【図６】本発明に係る第４の実施形態の電子機器における接続構成及びメニュー画面を示した説明図である。
【図７】本発明に係る第５の実施形態における電子機器の接続形態を示したブロック図である。
【図８】同図７におけるデバイスを接続をする機器制御部の略示的な接続図である。
【図９】本発明に係る第５の実施形態の電子機器の選択方法において、物理的に接続できるデバイスを縦軸方向に表示し、論理的に識別できるデバイスを横軸方向に表示したメニュー画面の説明図である。
【図１０】同デバイス接続間におけるメニュー画面を表した説明図である。
【図１１】本発明に係る第６の実施形態の電子機器における接続構成において、メニュー画面において、物理的に接続できるデバイスを横軸方向に表示し、論理的に識別できるデバイスを縦軸方向に表示したメニュー画面の説明図である。
【図１２】同デバイス接続間におけるメニュー画面を表した説明図である。
【図１３】本発明に係る第７の実施形態における電子機器における接続構成におけるメニュー画面において、表示してあるデバイスが使用できるものと使用できないものとを視認して区別できるようにした説明図である。
【図１４】同メニュー画面において、表示してある機器が使用できるものと使用できないものとを視認して区別できるようにした説明図である。
【図１５】本発明に係る第８の実施形態における電子機器の接続形態を示したブロック図である。
【図１６】同図１５におけるデバイスを接続する機器制御部の略示的な接続図である。
【図１７】同第８の実施形態の電子機器における接続構成におけるメニュー画面において、物理的に接続できるデバイスを縦軸方向に表示し、論理的に識別できるデバイスを横軸方向に表示したメニュー画面の説明図である。
【図１８】同第８の実施形態における電子機器において、デバイス接続間におけるメニュー画面を表した説明図である。
【図１９】同第９の実施形態の電子機器における接続構成におけるメニュー画面において、物理的に接続できるデバイスを横軸方向に表示し、論理的に識別できるデバイスを縦軸方向に表示したメニュー画面の説明図である。
【図２０】同第９の実施形態における電子機器において、デバイス接続間におけるメニュー画面を表した説明図である。
【図２１】本発明に係る第１０の実施形態におけるディスプレイをテレビジョン受像機にし、デバイスの制御をデバイスコントローラで行ったときのデバイスの接続形態を示したブロック図である。
【図２２】同図２１におけるデバイスの接続をする機器制御部の略示的な接続図である。
【図２３】本発明に係る第１１の実施形態におけるディスプレイをテレビジョン受像機にし、デバイスの制御をデバイスコントローラで行ったときの電子機器の接続形態を示したブロック図である。
【図２４】同図２３におけるデバイス間接続をする機器制御部の略示的な接続図である。
【図２５】従来技術における電子機器（テレビジョン受像機）に接続できるデバイスの接続構成を示した説明図である。
【図２６】従来技術における実際にデバイスを接続した時の接続構成を示した説明図である。
【図２７】従来技術における電子機器に接続してあるデバイスをメニュー画面に表示して選択する様子を示した説明図である。
【符号の説明】
１０；テレビジョン受像機、１１；第１のデバイス、１２；第２のデバイス、１３；デジタルバス、１４；第３のデバイス、１５；第４のデバイス、１６；第５のデバイス、１７；画面、１８；メニュー、１９ａ〜１９ｅ；表示デバイス、２０ａ〜２０ｃ；表示デバイス、２１ａ〜２１ｃ；表示デバイス、２２ａ〜２２ｃ；表示デバイス、２３ａ〜２３ｃ；表示デバイス、２５；電子機器、２５Ａ；電子機器、２６；縦軸方向表示部、２６Ａ；縦軸方向表示部、２７；横軸方向表示部、２７Ａ；横軸方向表示部、２８；縦軸方向選択部、２８Ａ；縦軸方向選択部、２９；横軸方向選択部、２９Ａ；横軸方向選択部
【図１】
0004310674.tif 000002
【図２】
0004310674.tif 000003
【図３】
0004310674.tif 000004
【図４】
0004310674.tif 000005
【図５】
0004310674.tif 000006
【図６】
0004310674.tif 000007
【図７】
0004310674.tif 000008
【図８】
0004310674.tif 000009
【図９】
0004310674.tif 000010
【図１０】
0004310674.tif 000011
【図１１】
0004310674.tif 000012
【図１２】
0004310674.tif 000013
【図１３】
0004310674.tif 000014
【図１４】
0004310674.tif 000015
【図１５】
0004310674.tif 000016
【図１６】
0004310674.tif 000017
【図１７】
0004310674.tif 000018
【図１８】
0004310674.tif 000019
【図１９】
0004310674.tif 000020
【図２０】
0004310674.tif 000021
【図２１】
0004310674.tif 000022
【図２２】
0004310674.tif 000023
【図２３】
0004310674.tif 000024
【図２４】
0004310674.tif 000025
【図２５】
0004310674.tif 000026
【図２６】
0004310674.tif 000027
【図２７】
0004310674.tif 000028